(57)【要約】【課題】正規の遊技球よりも大きい不正具を用いることで特典の付与を継続させようとする行為を抑制すること。【解決手段】遊技盤２４の背面には集合板８１が設けられている。集合板８１には、各種入賞口に入賞して遊技盤２４の背面に導かれた遊技球をパチンコ機外に導出するための回収通路８２が形成されている。回収通路８２は、一般入賞口に連通させて設けられた集合回収通路８３を備えており、当該集合回収通路８３の集合通路領域８８には入賞検知センサ８６が設けられている。この場合に、集合通路領域８８において入賞検知センサ８６よりも上流側には、遊技球よりも大きい不正球であって、一般入賞口への入賞は可能であるが入賞検知センサ８６の通過は不可とする大きさの不正球の入賞検知センサ８６に向けた流入を規制する幅狭領域が設けられている。【選択図】      図５
2020054878.tif 000002
【特許請求の範囲】
【請求項１】
遊技球が流下する遊技領域に設けられ、当該遊技領域を流下する遊技球が入球可能な入球部と、
当該入球部に入球した遊技球を所定の方向に案内する案内通路と、
当該案内通路に設定されているとともに１個の遊技球の通過は可能であるが通路方向に直交する方向に複数の遊技球が並んだ状態での通過は不可とする検知用通過部を有し、当該検知用通過部の遊技球の通過を検知する通過検知手段と、
当該通過検知手段にて遊技球の通過が検知されたことに基づいて、所定の特典を付与する特典付与手段と
を備え、
前記検知用通過部よりも遊技球の移動方向の元側に、当該検知用通過部に到達するために通過する必要がある元側通路領域を備え、
当該元側通路領域は、前記遊技球よりも大きい不正具であって、前記入球部への入球は可能であるが前記検知用通過部の通過は不可とする大きさの不正具の前記検知用通過部に向けた流入を規制する規制手段を備え、
前記規制手段には、前記遊技球の通過は可能としながら前記不正具の通過を不可とする大きさの通路断面を有する規制用通過部が設けられており、
前記元側通路領域及び前記規制用通過部は前記案内通路に形成されており、
前記案内通路において前記入球部から前記規制用通過部側へと続く所定範囲は、通路断面の大きさが当該規制用通過部よりも拡張されており、この拡張部分は、１個の遊技球の通過は可能であるが通路方向に直交する方向に複数の遊技球が並んだ状態での通過は不可となるように形成されていることを特徴とする遊技機。
【発明の詳細な説明】
【技術分野】
【０００１】
本発明は、遊技機に関するものである。
【背景技術】
【０００２】
パチンコ機等の遊技機には、遊技球が流下する遊技領域に、当該遊技領域を流下する遊技球が入球可能な入球部が設けられているものがある。同入球部へ遊技球が入球した場合には、例えば当該入球に基づいて遊技者に特典が付与される（例えば特許文献１参照）。
【０００３】
具体的には、入球部から続くとともに当該入球部に入球した遊技球を遊技ホールの島設備に導くための案内通路を備えており、当該案内通路の途中位置に検知用通過部が存在するようにして検知手段が設けられている。この検知用通過部は、遊技球が１個ずつ通過するようにその通路断面の大きさが設定されている。検知手段は、例えば検知用通過部を遊技球が通過したことによる磁界の変化を電気信号に変換して、制御装置側に向けて出力する。制御装置ではその入力結果に基づいて特典を付与するための処理を実行する。
【先行技術文献】
【特許文献】
【０００４】
【特許文献１】特開２００３−２３６０８０号公報
【発明の概要】
【発明が解決しようとする課題】
【０００５】
上述したタイプの遊技機においては、例えば上記検知用通過部の通過は不可である一方、その手前までの侵入を可能とするような大きさの不正具（例えば不正球）等を入球部内に入れるとともに、その状態にて当該不正具が直接操作された場合や遊技機外部からさらなる不正行為が行われた場合には、入球部への入球に対応した特典が付与され得ると懸念される。このような不正な特典の取得に対する防御機能を向上する上で、遊技機の構造には未だ改善の余地がある。
【０００６】
本発明は、上記例示した事情等に鑑みてなされたものであり、防犯機能を好適に向上することが可能な遊技機を提供することを目的とするものである。
【課題を解決するための手段】
【０００７】
本発明は、
遊技球が流下する遊技領域に設けられ、当該遊技領域を流下する遊技球が入球可能な入球部と、
当該入球部に入球した遊技球を所定の方向に案内する案内通路と、
当該案内通路に設定されているとともに１個の遊技球の通過は可能であるが通路方向に直交する方向に複数の遊技球が並んだ状態での通過は不可とする検知用通過部を有し、当該検知用通過部の遊技球の通過を検知する通過検知手段と、
当該通過検知手段にて遊技球の通過が検知されたことに基づいて、所定の特典を付与する特典付与手段と
を備え、
前記検知用通過部よりも遊技球の移動方向の元側に、当該検知用通過部に到達するために通過する必要がある元側通路領域を備え、
当該元側通路領域は、前記遊技球よりも大きい不正具であって、前記入球部への入球は可能であるが前記検知用通過部の通過は不可とする大きさの不正具の前記検知用通過部に向けた流入を規制する規制手段を備え、
前記規制手段には、前記遊技球の通過は可能としながら前記不正具の通過を不可とする大きさの通路断面を有する規制用通過部が設けられており、
前記元側通路領域及び前記規制用通過部は前記案内通路に形成されており、
前記案内通路において前記入球部から前記規制用通過部側へと続く所定範囲は、通路断面の大きさが当該規制用通過部よりも拡張されており、この拡張部分は、１個の遊技球の通過は可能であるが通路方向に直交する方向に複数の遊技球が並んだ状態での通過は不可となるように形成されていることを特徴とする。
【発明の効果】
【０００８】
本発明によれば、防犯機能を好適に向上することができる。
【図面の簡単な説明】
【０００９】
【図１】第１の実施の形態におけるパチンコ機を示す正面図である。
【図２】パチンコ機の主要な構成を展開して示す斜視図である。
【図３】パチンコ機の主要な構成を展開して示す斜視図である。
【図４】遊技盤の正面図である。
【図５】主制御装置を取り外した状態における遊技盤の背面図である。
【図６】パチンコ機の電気的構成を示すブロック図である。
【図７】（ａ）は従来の集合回収通路における集合通路領域の縦断面図であり、（ｂ）は従来の集合回収通路において想定される不正の内容を説明するためのタイミングチャートである。
【図８】（ａ）は集合通路領域の一部を拡大して示す正面図であり、（ｂ１）は集合通路領域の縦断面図であり、（ｂ２）は（ｂ１）のＡ―Ａ線断面図であり、（ｂ３）は（ｂ１）のＢ―Ｂ線断面図であり、（ｂ４）は入賞検知センサの平面図である。
【図９】（ａ）は入賞検知処理を示すフローチャートであり、（ｂ）は不正球用処理を示すフローチャートである。
【図１０】（ａ）は第２の実施の形態における集合通路領域の縦断面図であり、（ｂ）は別形態における集合通路領域の縦断面図である。
【図１１】（ａ）は第３の実施の形態における集合通路領域の縦断面図であり、（ｂ）は同実施の形態における切換部材の平面図である。
【図１２】（ａ）は第４の実施の形態における上皿の平面図であり、（ｂ）は（ａ）のＣ―Ｃ線断面図であり、（ｃ）は同実施の形態における不正球用処理を示すフローチャートである。
【図１３】（ａ）は第５の実施の形態における予備整列部の縦断面図であり、（ｂ）は同実施の形態における不正球用処理を示すフローチャートである。
【図１４】（ａ）は第６の実施の形態における球送り装置の縦断面図であり、（ｂ）は球送り装置内の通路構成を説明するための説明図である。
【図１５】（ａ）は第７の実施の形態における通路形成ユニットの背面側から見た斜視図であり、（ｂ）は通路形成ユニットの正面側から見た斜視図である。
【図１６】（ａ）は通路形成ユニットの縦断面図であり、（ｂ）は通路形成ユニットの横断面図である。
【図１７】第８の実施の形態における入賞検知センサの構成を説明するための縦断面図である。
【図１８】（ａ）は第９の実施の形態における入賞検知センサの構成を説明するための縦断面図であり、（ｂ）は入賞検知センサにて遊技球が検知される場合の信号出力の様子を説明するためのタイミングチャートである。
【図１９】主側ＭＰＵにて実行される監視処理を示すフローチャートである。
【図２０】第１０の実施の形態における入賞検知センサの構成を説明するための縦断面図である。
【発明を実施するための形態】
【００１０】
＜第１の実施の形態＞
以下、遊技機の一種であるパチンコ遊技機（以下、「パチンコ機」という）の第１の実施の形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１１】
パチンコ機１０は、当該パチンコ機１０の外殻を形成する外枠１１と、この外枠１１に対して前方に回動可能に取り付けられた遊技機本体１２とを有する。外枠１１は木製の板材を四辺に連結し構成されるものであって矩形枠状をなしている。パチンコ機１０は、外枠１１を島設備に取り付け固定することにより、遊技ホールに設置される。
【００１２】
遊技機本体１２は、図２及び図３に示すように、内枠１３と、その内枠１３の前方に配置される前扉枠１４と、内枠１３の後方に配置される裏パックユニット１５とを備えている。遊技機本体１２のうち内枠１３が外枠１１に対して回動可能に支持されている。詳細には、正面視で左側を回動基端側とし右側を回動先端側として内枠１３が前方へ回動可能とされている。
【００１３】
内枠１３には、図２に示すように、前扉枠１４が回動可能に支持されており、正面視で左側を回動基端側とし右側を回動先端側として前方へ回動可能とされている。また、内枠１３には、図３に示すように、裏パックユニット１５が回動可能に支持されており、正面視で左側を回動基端側とし右側を回動先端側として後方へ回動可能とされている。
【００１４】
なお、遊技機本体１２には、図３に示すように、その回動先端部に施錠装置１６が設けられており、遊技機本体１２を外枠１１に対して開放不能に施錠状態とする機能を有しているとともに、前扉枠１４を内枠１３に対して開放不能に施錠状態とする機能を有している。これらの各施錠状態は、図１に示すように、パチンコ機１０前面にて露出させて設けられたシリンダ錠１７に対して解錠キーを用いて解錠操作を行うことにより、それぞれ解除される。
【００１５】
次に、遊技機本体１２の前面側の構成について説明する。
【００１６】
内枠１３は、図２に示すように、外形が外枠１１とほぼ同一形状をなす樹脂ベース２１を主体に構成されている。樹脂ベース２１の中央部には略楕円形状の窓孔２３が形成されている。樹脂ベース２１には遊技盤２４が着脱可能に取り付けられている。遊技盤２４は合板よりなり、遊技盤２４の前面に形成された遊技領域が樹脂ベース２１の窓孔２３を通じて内枠１３の前面側に露出した状態となっている。
【００１７】
ここで、遊技盤２４の構成を図４に基づいて説明する。図４は遊技盤２４の正面図である。
【００１８】
遊技盤２４には、ルータ加工が施されることによって前後方向に貫通する大小複数の開口部が形成されている。各開口部には一般入賞口３１，可変入賞装置３２，上作動口（第１始動入球部）３３，下作動口（第２始動入球部）３４，スルーゲート３５、可変表示ユニット３６、メイン表示部４３及び役物用表示部４４等がそれぞれ設けられている。
【００１９】
遊技領域の中央位置を含むようにして可変表示ユニット３６が配置されており、さらに遊技領域の横方向の中央ライン上において可変表示ユニット３６、上作動口３３、下作動口３４及び可変入賞装置３２がこの順序で下方に向けて並ぶように配置されている。また、スルーゲート３５は、可変表示ユニット３６の左側に１個設けられているとともに、右側に１個設けられている。また、一般入賞口３１は、上作動口３３及び下作動口３４の高さ位置において、これら上作動口３３及び下作動口３４の左方に２個設けられているとともに、右方に２個設けられている。
【００２０】
ちなみに、一般入賞口３１、上作動口３３及び下作動口３４のそれぞれは、複数の遊技球（金属球）が同時に入球することを阻止しながら、ある程度の入球頻度を確保するために、遊技球の直径よりも若干大きい開口面積を有している。一般入賞口３１について具体的には、その入球入口は、四角形状、具体的には正方形状に形成されているが、その一辺の寸法は遊技球の直径１１．０ｍｍよりも大きい１３．０ｍｍに設定されている。なお、当該開口を長方形状としてもよく、この場合、短辺部の寸法を遊技球の直径よりも若干大きい寸法、例えば１２．０ｍｍや１３．０ｍｍとするとよい。
【００２１】
一般入賞口３１、可変入賞装置３２、上作動口３３及び下作動口３４への入球が発生すると、それが遊技盤２４の背面側に配設された入賞検知センサにより検知され、その検知結果に基づいて所定数の賞球の払い出しが実行される。この場合、上作動口３３への入球が発生した場合及び下作動口３４への入球が発生した場合には３個の賞球の払い出しが実行され、一般入賞口３１への入球が発生した場合には１０個の賞球の払い出しが実行され、可変入賞装置３２への入球が発生した場合には１５個の賞球の払い出しが実行される。但し、これら賞球の個数は任意であり、例えば上作動口３３に係る賞球個数よりも下作動口３４に係る賞球個数が多いといったように、両作動口３３，３４の賞球個数が相違していてもよい。また、可変入賞装置３２に係る賞球個数が他の賞球個数に比べて多い構成に限定されることはなく、例えば一般入賞口３１に係る賞球個数よりも少ない構成としてもよく、一般入賞口３１に係る賞球個数が最も多い構成としてもよい。
【００２２】
その他に、遊技盤２４の最下部にはアウト口３７が設けられており、各種入賞口等に入らなかった遊技球はアウト口３７を通って遊技領域から排出される。また、遊技盤２４には、遊技球の落下方向を適宜分散、調整等するために多数の釘３８が植設されていると共に、風車等の各種部材（役物）が配設されている。
【００２３】
ここで、入球とは、所定の開口部を遊技球が通過することを意味し、開口部を通過した際にそのまま遊技領域から排出される態様だけでなく、開口部を通過した後に遊技領域を再度流下する態様も含まれる。但し、以下の説明では、アウト口３７への遊技球の入球と明確に区別するために、一般入賞口３１、可変入賞装置３２、上作動口３３、下作動口３４又はスルーゲート３５への遊技球の入球を、入賞とも表現する。
【００２４】
上作動口３３及び下作動口３４は、作動口装置としてユニット化されて遊技盤２４に設置されている。上作動口３３及び下作動口３４は共に上向きに開放されている。また、上作動口３３が上方となるようにして両作動口３３，３４は鉛直方向に並んでいる。下作動口３４には、左右一対の可動片よりなるガイド片（サポート片）としての電動役物３４ａが設けられている。
【００２５】
電動役物３４ａは遊技盤２４の背面側に搭載された図示しない電動役物駆動部に連結されており、当該電動役物駆動部により駆動されて閉鎖状態（非サポート状態又は非ガイド状態）及び開放状態（サポート状態又はガイド状態）のいずれかに配置される。電動役物３４ａの閉鎖状態では遊技球が下作動口３４に入賞できず、電動役物３４ａが開放状態となることで下作動口３４への入賞が可能となる。
【００２６】
なお、これに限定されず、下作動口３４への遊技球の入賞が発生し易い状態と、入賞が不可ではないが上記入賞が発生し易い状態よりも入賞が発生しづらい状態とに、電動役物３４ａが切り換えられる構成としてもよい。また、電動役物３４ａを不具備とし、入賞が発生し易い状態とそれよりも入賞が発生しづらい状態との間の切り換えが、下作動口３４自身の変位により行われる構成としてもよい。
【００２７】
可変入賞装置３２は、通常は遊技球が入賞できない又は入賞し難い閉状態になっており、大当たり当選といった開閉実行モード（特別遊技状態）への移行当選となった際に、遊技球が入賞しやすい所定の開放状態に切り換えられるようになっている。可変入賞装置３２の開放態様として具体的には、所定時間（例えば３０秒間）の経過又は所定個数（例えば１０個）の入賞を１ラウンドとして、複数ラウンド（例えば１５ラウンド）を上限として可変入賞装置３２が繰り返し開放される。
【００２８】
メイン表示部４３では、上作動口３３又は下作動口３４への入賞をトリガとして絵柄の変動表示が行われ、その変動表示の停止結果として、上作動口３３又は下作動口３４への入賞に基づいて行われた内部抽選の結果が表示によって明示される。つまり、本パチンコ機１０では、上作動口３３への入賞と下作動口３４への入賞とが内部抽選において区別されておらず、上作動口３３又は下作動口３４への入賞に基づいて行われた内部抽選の結果が共通の表示領域であるメイン表示部４３にて明示される。そして、上作動口３３又は下作動口３４への入賞に基づく内部抽選の結果が開閉実行モードへの移行に対応した当選結果であった場合には、メイン表示部４３にて所定の停止結果が表示されて変動表示が停止された後に、開閉実行モードへ移行する。
【００２９】
なお、メイン表示部４３は、複数のセグメント発光部が所定の態様で配列されてなるセグメント表示器により構成されているが、これに限定されることはなく、液晶表示装置、有機ＥＬ表示装置、ＣＲＴ又はドットマトリックス表示器等その他のタイプの表示装置によって構成されていてもよい。また、メイン表示部４３にて変動表示される絵柄としては、複数種の文字が変動表示される構成、複数種の記号が変動表示される構成、複数種のキャラクタが変動表示される構成又は複数種の色が切り換え表示される構成などが考えられる。
【００３０】
役物用表示部４４では、スルーゲート３５への入賞をトリガとして絵柄の変動表示が行われ、その変動表示の停止結果として、スルーゲート３５への入賞に基づいて行われた内部抽選の結果が表示によって明示される。スルーゲート３５への入賞に基づく内部抽選の結果が電役開放状態への移行に対応した当選結果であった場合には、役物用表示部４４にて所定の停止結果が表示されて変動表示が停止された後に、電役開放状態へ移行する。電役開放状態では、下作動口３４に設けられた電動役物３４ａが所定の態様で開放状態となる。
【００３１】
可変表示ユニット３６には、絵柄の一種である図柄を変動表示（又は、可変表示若しくは切換表示）する図柄表示装置４１が設けられているとともに、図柄表示装置４１を囲むようにしてセンターフレーム４２が配設されている。図柄表示装置４１は、液晶ディスプレイを備えた液晶表示装置として構成されており、後述する表示制御装置により表示内容が制御される。なお、図柄表示装置４１は、液晶表示装置であることに限定されることはなく、プラズマディスプレイ装置、有機ＥＬ表示装置又はＣＲＴといった表示画面を有する他の表示装置であってもよく、ドットマトリクス表示器であってもよい。
【００３２】
図柄表示装置４１では、上作動口３３又は下作動口３４への入賞に基づいて図柄の変動表示が開始される。すなわち、メイン表示部４３において変動表示が行われる場合には、それに合わせて図柄表示装置４１において変動表示が行われる。例えば上、中及び下に並べて図柄が表示され、これらの図柄が左右方向にスクロールされるようにして変動表示されるようになっている。そして、予め設定されている有効ライン上に所定の組み合わせの図柄が停止表示された場合には、開閉実行モードが発生することとなる。
【００３３】
なお、いずれかの作動口３３，３４への入賞に基づいて、メイン表示部４３及び図柄表示装置４１にて変動表示が開始され、所定の停止結果を表示し上記変動表示が停止されるまでが遊技回の１回に相当する。
【００３４】
センターフレーム４２の前面側における左上部分には、メイン表示部４３及び図柄表示装置４１に対応した第１保留ランプ部４５が設けられている。遊技球が上作動口３３又は下作動口３４に入賞した個数は最大４個まで保留され、第１保留ランプ部４５の点灯によってその保留個数が表示されるようになっている。
【００３５】
センターフレーム４２の右上部分には、役物用表示部４４に対応した第２保留ランプ部４６が設けられている。遊技球がスルーゲート３５を通過した回数は最大４回まで保留され、第２保留ランプ部４６の点灯によってその保留個数が表示されるようになっている。なお、各保留ランプ部４５，４６の機能が図柄表示装置４１の一部の領域における表示により果たされる構成としてもよい。
【００３６】
遊技盤２４には、内レール部４８と外レール部４９とが取り付けられており、これら内レール部４８と外レール部４９とにより誘導レールが構成され、遊技球発射機構５１から発射された遊技球が遊技領域の上部に案内されるようになっている。なお、内レール部４８及び外レール部４９は遊技領域を区画する機能も有している。
【００３７】
遊技球発射機構５１は、図２に示すように、樹脂ベース２１における窓孔２３の下方に取り付けられており、誘導レールに向けて延びる発射レール５２と、後述する上皿６１ａに貯留されている遊技球を発射レール５２上に供給する球送り装置５３と、発射レール５２上に供給された遊技球を誘導レールに向けて発射させる電動アクチュエータであるソレノイド５４と、を備えている。前扉枠１４に設けられた発射操作装置５５が操作されることにより、球送り装置５３が駆動制御されて１個の遊技球が発射レール５２上の球待機位置に配置されるとともに、ソレノイド５４が駆動制御されて、発射レール５２上に配置された遊技球が発射される。
【００３８】
内枠１３の前面側全体を覆うようにして前扉枠１４が設けられている。前扉枠１４には、図１に示すように、遊技領域のほぼ全域を前方から視認することができるようにした窓部５６が形成されている。窓部５６は、略楕円形状をなし、窓パネル５７が嵌め込まれている。窓パネル５７は、ガラスによって無色透明に形成されているが、これに限定されることはなく合成樹脂によって無色透明に形成されていてもよく、パチンコ機１０前方から窓パネル５７を通じて遊技領域を視認可能であれば有色透明に形成されていてもよい。
【００３９】
窓部５６の周囲には、各種ランプ部等の発光手段が設けられている。各種ランプ部の一部として表示ランプ部５８ａが窓部５６の上方に設けられている。また、表示ランプ部５８ａの左右両側であって前扉枠１４の上側の隅角部分には左右一対のエラーランプ部５８ｂが設けられている。また、エラーランプ部５８ｂに隣接させて、遊技状態に応じた効果音などが出力される左右一対のスピーカ部５９が設けられている。
【００４０】
前扉枠１４における窓部５６の下方には、手前側へ膨出した上側膨出部６１と下側膨出部６２とが上下に並設されている。上側膨出部６１内側には上方に開口した上皿６１ａが設けられており、下側膨出部６２内側には同じく上方に開口した下皿６２ａが設けられている。
【００４１】
上皿６１ａは、後述する払出装置より払い出された遊技球を一旦貯留し、一列に整列させながら遊技球発射機構５１側へ導くための機能を有する。この場合、前扉枠１４には上皿６１ａの出口から連続し、内枠１３の球送り装置５３へと延びる図示しない発射誘導用通路が形成されているが、当該発射誘導用通路の出口部分には、図２に示すように、シャッタ６３が設けられている。当該シャッタ６３は、前扉枠１４を閉鎖状態とした場合には内枠１３に形成された図示しない押圧部により押圧されて開放位置に配置され、球送り装置５３への遊技球の流入を可能とする。一方、前扉枠１４を開放状態とした場合には、上記押圧部による押圧が解除されるため、シャッタ６３が閉鎖位置に配置され、上皿６１ａからの遊技球の流出が阻止される。下皿６２ａは、上皿６１ａ内にて余剰となった遊技球を貯留する機能を有する。
【００４２】
次に、遊技機本体１２の背面側の構成について説明する。
【００４３】
図３に示すように、内枠１３（具体的には、遊技盤２４）の背面には、遊技の主たる制御を司る主制御装置７１と、音声やランプ表示及び図示しない表示制御装置の制御を司る音声発光制御装置７２と、が搭載されている。
【００４４】
なお、主制御装置７１の基板ボックス７１ａに対して、その開放の痕跡を残すための痕跡手段を付与する又はその開放の痕跡を残すための痕跡構造を設けてもよい。当該痕跡手段としては、基板ボックス７１ａを構成する複数のケース体を分離不能に結合するとともにその分離に際して所定部位の破壊を要する結合部（カシメ部）の構成や、引き剥がしに際して粘着層が接着対象に残ることで剥がされたことの痕跡を残す封印シールを複数のケース体間の境界を跨ぐようにして貼り付ける構成が考えられる。また、痕跡構造としては、基板ボックス７１ａを構成する複数のケース体間の境界に対して接着剤を塗布する構成が考えられる。
【００４５】
ここで、遊技盤２４の背面であって、主制御装置７１が設置された領域には集合板８１が設けられている。当該集合板８１の構成について、図５を参照しながら説明する。図５は、集合板８１の構成を説明するための遊技盤２４の背面図であって、主制御装置７１を取り外した状態を示す。
【００４６】
図５に示すように、集合板８１は、遊技盤２４の背面において可変表示ユニット３６の下方に設けられている。集合板８１には、一般入賞口３１、可変入賞装置３２、作動口３３，３４等の各種入賞口に入賞して遊技盤２４の背面に導かれた遊技球を、裏パックユニット１５に設けられた後述する排出通路盤７５ｂへと誘導するための回収通路８２が形成されている。
【００４７】
回収通路８２は、可変入賞装置３２に連通させて設けられた可変入賞用の回収通路８２ａと、上作動口３３に連通させて設けられた上作動用の回収通路８２ｂと、下作動口３４に連通させて設けられた下作動用の回収通路８２ｃと、４個設けられた一般入賞口３１のうち、２個の一般入賞口３１のそれぞれに連通させて設けられた第１集合回収通路８３と、残りの２個の一般入賞口３１のそれぞれに連通させて設けられた第２集合回収通路８４と、を備えている。そして、これら各回収通路８２ａ〜８４は、いずれも集合板８１の下部に設けられた集約領域８２ｄに連通されており、当該集約領域８２ｄから上記排出通路盤７５ｂに排出される。なお、アウト口３７も同様に排出通路盤７５ｂに通じており、何れの入賞口にも入賞しなかった遊技球はアウト口３７を介して排出通路盤７５ｂへ排出される。
【００４８】
上記各回収通路８２ａ〜８４には、対応する入賞口に遊技球が入賞したことを検知するための入賞検知センサ８５ａ〜８７が設けられている。具体的には、可変入賞用の回収通路８２ａの途中位置に設けられた可変入賞用の入賞検知センサ８５ａと、上作動用の回収通路８２ｂの途中位置に設けられた上作動用の入賞検知センサ８５ｂと、下作動用の回収通路８２ｃの途中位置に設けられた下作動用の入賞検知センサ８５ｃと、第１集合回収通路８３に設けられた第１集合用の入賞検知センサ８６と、第２集合回収通路８４の途中位置に設けられた第２集合用の入賞検知センサ８７と、を備えている。これら各入賞検知センサ８５ａ〜８７としては、対応する通路の途中位置に設けられた検知領域を遊技球が通過した場合に生じる磁界（磁場）の変化を検知する磁気センサ（近接センサ）が採用されている。
【００４９】
各入賞検知センサ８５ａ〜８７のうち、可変入賞用の入賞検知センサ８５ａと、上作動用の入賞検知センサ８５ｂと、下作動用の入賞検知センサ８５ｃとは、それぞれ対応する入賞口が１個となっている。その一方、第１集合用の入賞検知センサ８６は、検知の対象となる２個の一般入賞口３１のうち、一方の一般入賞口３１から延びる通路領域と、他方の一般入賞口３１から延びる通路領域と、が集合する第１集合通路領域８８に設けられている。同様に、第２集合用の入賞検知センサ８７は、検知の対象となる２個の一般入賞口３１のうち、一方の一般入賞口３１から延びる通路領域と、他方の一般入賞口３１から延びる通路領域と、が集合する第２集合通路領域８９に設けられている。
【００５０】
一般入賞口３１は、入賞の発生が内部抽選の契機とはならないが、所定個数（具体的には１０個）の遊技球の払い出しが実行される契機となる入賞口である。この場合に、各一般入賞口３１は、入賞に際して払い出される遊技球の数が同一となっているため、上記のように集合通路領域８８，８９に対して入賞検知センサ８６，８７を設けたとしても入賞の取り扱いに際して問題が生じることはなく、さらには部材点数の削減や、省スペース化が図られる。
【００５１】
主制御装置７１や音声発光制御装置７２を含めて内枠１３の背面側を覆うようにして裏パックユニット１５が設置されている。裏パックユニット１５は、図３に示すように、透明性を有する合成樹脂により形成された裏パック７３を備えており、当該裏パック７３に対して、払出機構部７４及び制御装置集合ユニット７５が取り付けられている。
【００５２】
払出機構部７４は、遊技場の島設備から供給される遊技球が逐次補給されるタンク７６と、当該タンク７６に貯留された遊技球を払い出すための払出装置７７と、を備えている。払出装置７７より払い出された遊技球は、当該払出装置７７の下流側に設けられた払出通路を通じて、上皿６１ａ又は下皿６２ａに排出される。なお、払出機構部７４には、例えば交流２４ボルトの主電源が供給されるとともに、電源のＯＮ操作及びＯＦＦ操作を行うための電源スイッチを有する裏パック基板が搭載されている。
【００５３】
制御装置集合ユニット７５は、払出装置７７を制御する機能を有する払出制御装置７８と、各種制御装置等で要する所定の電力が生成されて出力されるとともに遊技者による発射操作装置５５の操作に伴う遊技球の打ち出しの制御が行われる電源及び発射制御装置７９と、を備えている。これら払出制御装置７８と電源及び発射制御装置７９とは、払出制御装置７８がパチンコ機１０後方となるように前後に重ねて配置されている。
【００５４】
制御装置集合ユニット７５において電源及び発射制御装置７９が搭載されることとなる搭載部７５ａには、排出通路盤７５ｂが形成されている。既に説明したとおり、遊技盤２４の背面に設けられた回収通路８２ａ〜８４にて回収された遊技球は、当該排出通路盤７５ｂに導出されて、当該排出通路盤７５ｂに導かれることで最終的に遊技ホールの球送り機構に排出される。
【００５５】
＜パチンコ機１０の電気的構成＞
図６は、パチンコ機１０の電気的構成を示すブロック図である。なお、図６では、電源及び発射制御装置７９から主制御装置７１及び払出制御装置７８への動作電力の供給ラインを二重線矢印で示し、それ以外の供給ラインや信号ラインを実線矢印で示す。
【００５６】
主制御装置７１は、遊技の主たる制御を司る主制御基板９１と、電源を監視する停電監視基板（電断監視基板）９６と、を具備している。主制御基板９１には、ＭＰＵ９２が搭載されている。ＭＰＵ９２には、ＲＯＭ９３及びＲＷＭ９４が内蔵されている。
【００５７】
ＲＯＭ９３は、ＭＰＵ９２により実行される各種の制御プログラムや固定値データを記憶している。ＲＷＭ９４は、ＲＯＭ９３内に記憶されている制御プログラムの実行に際して各種のデータ等を一時的に記憶する。また、ＭＰＵ９２又は主制御基板９１には、上記素子以外に、割込回路、タイマ回路、データ入出力回路などが設けられている。
【００５８】
ＭＰＵ９２には、入力ポート及び出力ポートがそれぞれ設けられている。ＭＰＵ９２の入力側及び出力側には、各種制御装置が接続されているとともに、各種センサ、各種駆動部及び各種表示部が接続されている。
【００５９】
ＭＰＵ９２の入力側には、遊技領域の一般入賞口３１、可変入賞装置３２、上作動口３３及び下作動口３４に対して設けられた入賞検知センサ８５ａ〜８７が電気配線を介して電気的に接続されている。なお、図示は省略するが、スルーゲート３５に対して設けられた入賞検知センサも電気的に接続されている。
【００６０】
ＭＰＵ９２では、各入賞検知センサ８５ａ〜８７から信号を受信し、その受信結果に基づいて各入賞部への入賞判定（入球判定）が行われる。この場合、一般入賞口３１、可変入賞装置３２、上作動口３３又は下作動口３４への入賞を特定した場合には、各入賞対象に対応した遊技球の払い出しが実行されるようにするための処理を実行する。また、上作動口３３又は下作動口３４への入賞を特定した場合には、所定の更新タイミングとなる度に数値情報の更新が行われる各種カウンタから数値情報を取得して保留情報として記憶するとともに、保留情報が記憶されている場合には、可変入賞装置３２が複数回に亘って開閉される開閉実行モードに移行させるか否かの当否判定や当該開閉実行モード後の遊技状態を決定するための振分判定を行う。そして、それら当否判定や振分判定の結果に基づいて、遊技を進行させる。
【００６１】
ＭＰＵ９２の出力側には、可変入賞装置３２を開閉動作させる可変入賞駆動部３２ａと、下作動口３４の電動役物３４ａを開閉動作させる電動役物駆動部３４ｂと、が電気配線を介して電気的に接続されている。また、ＭＰＵ９２の出力側には、メイン表示部４３と、役物用表示部４４と、が電気配線を介して電気的に接続されている。主制御基板９１には各種ドライバ回路が設けられており、当該ドライバ回路を通じてＭＰＵ９２は各種駆動部３２ａ，３４ｂの駆動制御を実行するとともに各種表示部４３，４４の表示制御を実行する。
【００６２】
つまり、開閉実行モードにおいては可変入賞装置３２が開閉されるように、ＭＰＵ９２において可変入賞駆動部３２ａの駆動制御が実行される。また、電動役物３４ａの開放状態当選となった場合には、電動役物３４ａが開閉されるようにＭＰＵ９２において電動役物駆動部３４ｂの駆動制御が実行される。また、各遊技回に際しては、ＭＰＵ９２においてメイン表示部４３の表示制御が実行される。また、電動役物３４ａを開放状態とするか否かの抽選結果を明示する場合に、ＭＰＵ９２において役物用表示部４４の表示制御が実行される。
【００６３】
払出制御装置７８は、払出装置７７を通じた遊技球の払出の制御を司る払出制御基板１０１を具備している。払出制御基板１０１には、ＭＰＵ１０２が搭載されている。ＭＰＵ１０２には、ＲＯＭ１０３及びＲＷＭ１０４が内蔵されている。なお、以下の説明では、主制御装置７１に設けられたＭＰＵ９２、ＲＯＭ９３及びＲＷＭ９４と区別するために、主制御装置７１に設けられたＭＰＵ９２、ＲＯＭ９３及びＲＷＭ９４を主側ＭＰＵ９２、主側ＲＯＭ９３及び主側ＲＷＭ９４と称し、払出制御装置７８に設けられたＭＰＵ１０２、ＲＯＭ１０３及びＲＷＭ１０４を払出側ＭＰＵ１０２、払出側ＲＯＭ１０３及び払出側ＲＷＭ１０４と称する。
【００６４】
払出側ＲＯＭ１０３は、払出側ＭＰＵ１０２により実行される各種の制御プログラムや固定値データを記憶している。払出側ＲＷＭ１０４は、払出側ＲＯＭ１０３内に記憶されている制御プログラムの実行に際して各種のデータ等を一時的に記憶する。また、払出側ＭＰＵ１０２又は払出制御基板１０１には、上記素子以外に、割込回路、タイマ回路、データ入出力回路などが設けられている。
【００６５】
払出側ＭＰＵ１０２は払出装置７７と電気的に接続されている。当該払出装置７７には、タンク７６から払出装置７７に供給されている遊技球をそれよりも下流側へ流下しないように通過を阻止する状態と、当該遊技球を下流側へ送り出す状態とに切り換える回転体などの球止め部材を駆動する払出モータ７７ａが設けられているとともに、上記下流側へと送り出される遊技球を個別に検知する払出検知センサ７７ｂが設けられている。払出側ＭＰＵ１０２の出力側には払出モータ７７ａが電気配線を介して電気的に接続されているとともに、払出側ＭＰＵ１０２の入力側には払出検知センサ７７ｂが電気配線を介して電気的に接続されている。払出側ＭＰＵ１０２では、払出制御基板１０１に設けられたドライバ回路を通じて払出モータ７７ａに駆動信号を供給することで遊技球の払出を実行させるとともに、払出検知センサ７７ｂの検知結果に基づいて払出が完了した遊技球の個数を把握する。
【００６６】
払出側ＭＰＵ１０２は、主側ＭＰＵ９２との間で通信を行うことに基づき、遊技球の払出を制御する。具体的には、主側ＭＰＵ９２では入賞検知センサ８５ａ〜８７の検知結果に基づいて賞球の発生に対応した入賞部への入賞を確認した場合に払出側ＭＰＵ１０２に向けて賞球コマンド（払出指令情報）を送信する。この場合、賞球コマンドには自身が賞球コマンドであることを示す情報及び賞球を実行すべき個数の情報が含まれており、複数ビットの情報として構成されている。当該賞球コマンドを受信することで、払出側ＭＰＵ１０２は、その賞球コマンドにより指示された個数の遊技球が払い出されるように払出モータ７７ａを駆動制御する。そして、払出検知センサ７７ｂの検知結果に基づいて、上記指示に係る個数の遊技球の払い出しが完了したと判断した際には、払出モータ７７ａの駆動制御を停止する。
【００６７】
電源及び発射制御装置７９は電源及び発射制御基板１１１を備えており、当該電源及び発射制御基板１１１には、主制御装置７１及び払出制御装置７８を含めた各種機器に動作電力を供給する機能を有する電源回路１１２が設けられている。電源回路１１２には、電入時用電源部１１３と、電断時用電源部１１４とが設けられている。
【００６８】
電入時用電源部１１３は、例えば遊技ホール等における商用電源（外部電源）に接続されており、その商用電源から供給される外部電力に基づいて主制御装置７１や払出制御装置７８等の各々に必要な動作電圧を生成するとともに、その生成した動作電圧を主制御装置７１や払出制御装置７８等に対して供給する。
【００６９】
電入時用電源部１１３と主側ＭＰＵ９２との電力供給経路の途中位置には停電監視基板９６が設けられている。停電監視基板９６は、電入時用電源部１１３から供給される最大電圧である直流安定２４ボルトの電圧を監視する。そして、この電圧が２２ボルト未満になると電源遮断の発生と判断し、主側ＭＰＵ９２に対する停電信号（電断信号）の出力設定を停電（電源遮断）の発生に対応したものとする。
【００７０】
電断時用電源部１１４はコンデンサからなり、パチンコ機１０の電源がＯＮ状態の場合（商用電源からの電力供給が行われている場合）に電入時用電源部１１３から供給される電力により充電される。また、パチンコ機１０の電源がＯＦＦ状態の場合や商用電源における停電発生時といった電源遮断状態（商用電源からの電力供給が遮断されている場合）では、電断時用電源部１１４から放電され主側ＲＷＭ９４及び払出側ＲＷＭ１０４に対して記憶保持用電力（バックアップ電力）が供給される。よって、かかる状況であっても、電断時用電源部１１４から記憶保持用電力が供給されている間は主側ＲＷＭ９４及び払出側ＲＷＭ１０４に記憶された情報が消去されることなく記憶保持される。
【００７１】
電源及び発射制御基板１１１には、電源回路１１２以外にも、遊技球の発射制御を担う発射制御回路１１５が設けられている。発射制御回路１１５には、条件成立の送信回路１１６と、発射許可の受信回路１１７と、発射用ＩＣ１１８と、が設けられている。
【００７２】
条件成立の送信回路１１６は、予め定められた遊技球の発射条件が成立している場合において主側ＭＰＵ９２に対して所定の信号形態の条件成立信号を送信する機能を有している。具体的には、発射制御回路１１５は、発射操作装置５５の環状のハンドル部が遊技者により触れられていることを検知するタッチセンサ５５ａと、ハンドル部を回転操作している状況であっても遊技球の発射を停止させるべく遊技者により手動操作される球止めスイッチ５５ｂと、が電気的に接続されている。
【００７３】
条件成立の送信回路１１６は、タッチセンサ５５ａからハンドル部が遊技者により触れられていることを示す信号を受信するとともに、球止めスイッチ５５ｂから遊技者により手動操作されていないことを示す信号を受信している場合に、主側ＭＰＵ９２に対してＨＩレベルの条件成立信号（条件成立に対応した信号）を送信する。
【００７４】
発射許可の受信回路１１７は、条件成立の送信回路１１６から主側ＭＰＵ９２に対してＨＩレベルの条件成立信号が送信されていることを一の条件として主側ＭＰＵ９２から送信されるＨＩレベルの発射許可信号（発射許可に対応した信号）を受信するとともに、当該発射許可信号を受信している場合にそれに対応した信号を発射用ＩＣ１１８に継続して供給する機能を有している。また、主側ＭＰＵ９２は、ＨＩレベルの条件成立信号の受信を開始するたびにＨＩレベルの発射許可信号の送信を新たに開始するとともにＨＩレベルの条件成立信号の受信が終了した場合にはＨＩレベルの発射許可信号の送信を終了する。
【００７５】
発射用ＩＣ１１８は、発射許可の受信回路１１７からＨＩレベルの発射許可信号又はそれに対応した信号を受信している場合に、遊技球発射機構５１のソレノイド５４及び球送り装置５３のそれぞれに対して定期的に駆動信号を出力する機能を有している。この場合、発射用ＩＣ１１８は、パルス信号として各駆動信号を出力するとともに、その出力周期は０．６ｓｅｃとなっている。また、発射レール５２に１個の遊技球が供給された後に、当該遊技球が発射されるように、駆動信号の出力タイミングは球送り装置５３の方がソレノイド５４よりも早く設定されている。
【００７６】
なお、発射操作装置５５には上記のとおりハンドル部が設けられており、当該ハンドル部の操作量が多いほどソレノイド５４による遊技球の発射強度が強くなる。この場合、発射操作装置５５にはハンドル部の操作量を検知するための操作量検知手段として可変抵抗器が設けられており、発射用ＩＣ１１８では当該可変抵抗器から入力する電圧を通じてソレノイド５４に供給する駆動信号の電圧を調整して発射強度を調整する。なお、当該調整機能が発射用ＩＣ１１８に設けられていることは必須ではなく、発射用ＩＣ１１８とソレノイド５４との信号経路の途中に調整回路が設けられている構成としてもよい。
【００７７】
音声発光制御装置７２は、主側ＭＰＵ９２から受信したコマンドに基づき、表示ランプ部５８ａ、エラーランプ部５８ｂ及びスピーカ部５９を駆動制御するとともに、表示制御装置１２１にコマンドを送信する。表示制御装置１２１は、音声発光制御装置７２から受信した各種コマンドを解析し又は受信した各種コマンドに基づき所定の演算処理を行って、図柄表示装置４１における画像の表示を制御する。
【００７８】
＜各集合回収通路８３，８４の通路構成について＞
次に、各集合回収通路８３，８４の通路構成について説明する。なお、第１集合回収通路８３と第２集合回収通路８４との通路構成は同一であるため、第１集合回収通路８３について具体的に説明する。また、説明の便宜上、第１集合回収通路８３を集合回収通路８３と称し、第１集合用の入賞検知センサ８６を入賞検知センサ８６と称し、第１集合通路領域８８を集合通路領域８８と称する。
【００７９】
図７は、従来の集合回収通路３０１の問題点を説明するための説明図であり、図７（ａ）は従来の集合回収通路３０１における集合通路領域３０２を示し、図７（ｂ）は従来の集合回収通路３０１において想定される不正の内容を説明するためのタイミングチャートである。
【００８０】
図７（ａ）に示すように、集合回収通路３０１の集合通路領域３０２は、１個の遊技球の通過は可能とするが、同一の位置を複数の遊技球が並んだ状態で通過することがないように、その通路断面の大きさが設定されている。具体的には、集合通路領域３０２は通路断面が正方形となるように形成されており、一辺の長さ寸法は、遊技球の直径１１．０ｍｍよりも大きい１３．０ｍｍに設定されている。
【００８１】
集合通路領域３０２の途中位置には、当該集合通路領域３０２を通過する遊技球を検知する入賞検知センサ３０３が設けられている。入賞検知センサ３０３は、磁気検知タイプの近接センサにて構成されており、遊技球の通過を検知するための入賞側検知部３０４を備えている。入賞側検知部３０４には、入賞検知センサ３０３の厚み方向に貫通した入賞側貫通孔３０５が形成されている。入賞側貫通孔３０５は、その軸線が集合通路領域３０２と同一軸線上となるように配置されているが、入賞側貫通孔３０５の直径は、それよりも上流側の通路幅に比べて小さい１１．５ｍｍとなっている。これは入賞側貫通孔３０５よりも上流側では遊技球の流れを良好なものとしながら、入賞側貫通孔３０５内において遊技球が暴れて１個の遊技球の通過を複数の遊技球の通過として誤検知する、所謂チャタリングの発生を防止するための工夫である。
【００８２】
但し、上記構成においては集合通路領域３０２の通路区画面と入賞側貫通孔３０５との間に段差が生じることとなる。そうすると、一般入賞口への入賞を可能としながら入賞側貫通孔３０５の通過を不可とするような直径、具体的には正規の遊技球Ｂ１の直径１１．０ｍｍよりも大きい直径１２．０ｍｍの不正球Ｂ２を利用した不正が行われてしまうことが想定される。
【００８３】
当該不正行為について詳細には、先ず不正球Ｂ２を、遊技球発射機構を通じて遊技領域に向けて発射させる。この場合、遊技領域内にセルなどを利用した不正用治具を挿入しておき、遊技領域内を流下する不正球Ｂ２をその不正用治具により捕らえて、その捕らえた不正球Ｂ２を一般入賞口に入賞させる。そうすると、当該不正球Ｂ２は、入賞側貫通孔３０５の周縁部の段差に上流側から乗り上げ、さらにその状態で停止する。この状態では、入賞検知センサ３０３にて遊技球が検知され続けることとなる。
【００８４】
例えば、図７（ｂ）に示すように、ｔ１のタイミングで不正球Ｂ２の停留が開始される。この際、入賞検知センサ３０３からの信号出力は、非検知対応信号であるＬＯＷレベル信号の出力状態から、検知対応信号であるＨＩレベル信号の出力状態に変更される。また、ｔ１のタイミングでは、主制御装置にて一般入賞口への遊技球の入賞が１回発生したと把握され、所定個数の遊技球を払い出させるための処理が実行される。
【００８５】
さらにまた、上記のように不正球Ｂ２を停留させた状態においてパチンコ機前方から不正な磁界（磁場）を入賞検知センサ３０３に対して生じさせるように、不正な電波を出力する。例えば、図７（ｂ）に示すように、ｔ２〜ｔ３の期間、ｔ４〜ｔ５の期間、及びｔ６〜ｔ７の期間に亘って不正な電波を出力する。そうすると、それぞれの期間にて入賞検知センサ３０３からの信号出力状態が非検知対応信号の出力状態となり、各電波の出力停止に伴い非検知対応信号から検知対応信号への切り換わりが発生することに伴って、それぞれのタイミングにて、主制御装置では所定個数の遊技球を払い出させるための処理が実行される。つまり、不正球Ｂ２を利用することで、所定個数の遊技球の払い出しを繰り返させる不正行為が想定される。
【００８６】
なお、上記のように所定個数の遊技球の払い出しを繰り返させる不正行為としては、上記のもの以外にも、不正球Ｂ２を停留させた後に、針金などを集合通路領域３０２に挿入して不正球Ｂ２を通路方向に変位させる不正行為も考えられる。
【００８７】
これに対して、本パチンコ機１０では、上記不正行為を行いづらくするための構成を備えている。以下、当該構成について図８を参照しながら詳細に説明する。図８（ａ）は集合回収通路８３における集合通路領域８８の一部を拡大して示す正面図であり、図８（ｂ１）は集合通路領域８８の縦断面図であり、図８（ｂ２）は図８（ｂ１）のＡ―Ａ線断面図であり、図８（ｂ３）は図８（ｂ１）のＢ―Ｂ線断面図であり、図８（ｂ４）は入賞検知センサ８６の平面図である。
【００８８】
集合通路領域８８は、縦方向、具体的には鉛直方向に延びており、通路方向に対して直交する方向の断面が四角形、具体的には正方形となるように形成されている。集合通路領域８８は、少なくとも入賞検知センサ８６の位置よりも上流側の通路幅が、１個の遊技球の通過は可能とするが、同一の位置を複数の遊技球が並んだ状態で通過することがないように設定されている。
【００８９】
集合通路領域８８には、図８（ｂ１）に示すように、その途中位置に、通路断面（通路方向に対して直交する方向の断面）の面積がそれよりも上流側及び下流側に比べて狭くなる幅狭領域１３１と、当該幅狭領域１３１よりも上流側の上流領域１３２と、当該幅狭領域１３１よりも下流側の下流領域１３３と、を備えている。これら各領域１３１〜１３３のうち、下流領域１３３に、入賞検知センサ８６が設けられている。
【００９０】
入賞検知センサ８６は、既に説明したとおり磁気検知タイプの近接センサにて構成されており、遊技球の通過を検知するための入賞側検知部１３５を備えている。入賞側検知部１３５には、入賞側通過部又は入賞側検知領域として、図８（ｂ４）に示すように、入賞検知センサ８６の厚み方向に貫通した入賞側貫通孔１３６が形成されている。入賞側貫通孔１３６は、貫通方向に対して直交する方向の断面が円形状となるように形成されている。また、入賞側貫通孔１３６は、その全体に亘って同一方向に延びるように形成されているとともに、その全体に亘って孔の直径が同一又は略同一となっている。当該孔の直径Ｒは、遊技球の直径１１．０ｍｍよりも若干大きい１１．５ｍｍとなっている。
【００９１】
但し、これに限定されることはなく、入賞側貫通孔１３６の直径は、球詰まりを生じさせずに且つチャタリングの発生を抑制可能であれば任意であり、例えば遊技球の直径と同一の１１．０ｍｍであってもよい。また、入賞側貫通孔１３６の断面は円形状に限定されることはなく多角形状であってもよく、この場合、当該断面が遊技球において中心を通る断面の全体を含む大きさであればよい。また、入賞側検知部１３５の上面において入賞側貫通孔１３６の周縁部に、当該入賞側貫通孔１３６に向けて下り傾斜したテーパ面が形成されている構成としてもよい。
【００９２】
入賞側検知部１３５には、入賞側貫通孔１３６の外周側に沿うようにして図示しない検出コイルが内蔵されており、さらには入賞検知センサ８６には検出コイルと電気的に接続された発振用コンデンサ、発振回路、検波回路、コンパレータ回路及び出力回路を有する図示しないセンサ基板が内蔵されている。これにより、入賞側貫通孔１３６内に遊技球が存在している場合には、検出コイルを磁束が貫くこととなってその旨の信号が主制御装置７１に出力される。この場合、入賞検知センサ８６は、入賞側貫通孔１３６内に遊技球が存在していない状況では非検知対応信号であるＬＯＷレベル信号を出力するとともに、入賞側貫通孔１３６内に遊技球が存在している状況では検知対応信号であるＨＩレベル信号を出力する。但し、これに限定されることはなく、入賞側貫通孔１３６内に遊技球が存在していない状況では非検知対応信号であるＨＩレベル信号を出力するとともに、入賞側貫通孔１３６内に遊技球が存在している状況では検知対応信号であるＬＯＷレベル信号を出力する構成としてもよい。入賞検知センサ８６から出力された信号は、最終的に主制御装置７１にて受信される。
【００９３】
入賞検知センサ８６は、集合回収通路８３の通路形成部１４１に形成されたセンサ設置部１４２に設置されている。当該センサ設置部１４２に入賞検知センサ８６が設置されていることにより、集合通路領域８８の軸線に対して入賞側貫通孔１３６の軸線が同一直線上となる。
【００９４】
入賞側貫通孔１３６よりも上流側の領域のうち、集合通路領域８８の上流領域１３２及び下流領域１３３の通路幅Ｘ１は、図８（ｂ２）に示すように、入賞側貫通孔１３６の直径Ｒよりも大きく設定されており、具体的には一般入賞口３１の開口幅と同一又は略同一の１３．０ｍｍとなっている。その一方、これら上流領域１３２及び下流領域１３３の間に存在する幅狭領域１３１の通路幅Ｘ２は、図８（ｂ３）に示すように、正規の遊技球Ｂ１の通過を可能としながら、上記不正球Ｂ２の通過を不可とするように設定されている。具体的には、通路幅Ｘ２は、入賞検知センサ８６における入賞側貫通孔１３６の直径と同一又は略同一の１１．５ｍｍとなっている。
【００９５】
なお、当該通路幅Ｘ２は、正規の遊技球Ｂ１の直径以上であって、入賞側貫通孔１３６の直径以下であれば任意であり、例えば遊技球Ｂ１の直径と同一である１１．０ｍｍとしてもよい。但し、当該構成においては球詰まりの発生を抑制するために、幅狭領域１３１の通路区画面の低摩擦化を図ることが好ましい。例えば幅狭領域１３１の通路区画面を低摩擦材料により形成する構成としてもよく、当該通路区画面に低摩擦コーティングを施す構成としてもよい。また、幅狭領域１３１の通路断面は正方形であることに限定されることはなく、長方形であってもよく、この場合、その短辺部の長さ寸法が上記通路幅Ｘ２に設定されていればよい。また、幅狭領域１３１の通路断面は円形であってもよく、この場合、その孔の直径が上記通路幅Ｘ２に設定されていればよい。さらにまた、幅狭領域１３１の通路断面は楕円形であってもよく、この場合、その短軸の長さ寸法が上記通路幅Ｘ２に設定されていればよい。
【００９６】
上記構成であることにより、不正球Ｂ２を一般入賞口３１に不正に入賞させたとしても、当該不正球Ｂ２は、図８（ｂ１）に示すように、幅狭領域１３１を通過することはできず、幅狭領域１３１と上流領域１３２との間の段差部１４３に対して上流側から当接して、その当接した位置にて停留することとなる。この場合に、その停留している不正球Ｂ２と、入賞検知センサ８６の入賞側貫通孔１３６との間の距離Ｌは、入賞検知センサ８６の検知範囲よりも遠い距離となっている。これにより、不正球Ｂ２を入賞検知センサ８６に検知させ続けようとしても、それが不可となる。
【００９７】
また、幅狭領域１３１よりも上流側に、当該幅狭領域１３１よりも通路幅が広い上流領域１３２を備えていることにより、正規の遊技球Ｂ１の下流側への誘導を良好に行うことができる。また、幅狭領域１３１と入賞検知センサ８６の入賞側貫通孔１３６との間に、幅狭領域１３１よりも通路幅が広い下流領域１３３を備えていることにより、入賞検知センサ８６の設置に関して若干の遊びが存在していたとしても、入賞側貫通孔１３６の位置に合わせた遊技球の変位を当該下流領域１３３にて許容することが可能となる。よって、入賞検知センサ８６の位置における正規の遊技球Ｂ１の球詰まりの発生を抑制しながら、上記のような不正対策を施すことが可能となる。
【００９８】
上記のように幅狭領域１３１にて不正球Ｂ２が停留することとなる構成において、図８（ｂ１）に示すように、当該不正球Ｂ２が停留していることを検知するための停留検知センサ１４５が設けられている。
【００９９】
停留検知センサ１４５は、磁気検知タイプの近接センサにて構成されており、遊技球の通過を検知するための停留側検知部１４６を備えている。停留側検知部１４６には、停留側通過部又は停留側検知領域として、停留検知センサ１４５の厚み方向に貫通した停留側貫通孔１４７が形成されている。停留側貫通孔１４７は、貫通方向に対して直交する方向の断面が円形状となるように形成されている。また、停留側貫通孔１４７は、その全体に亘って同一方向に延びるように形成されているとともに、その全体に亘って孔の直径が同一又は略同一となっている。停留側貫通孔１４７の直径は、一般入賞口３１の開口幅と同一又は略同一である１３ｍｍとなっている。
【０１００】
但し、これに限定されることはなく、停留側貫通孔１４７の直径が１３ｍｍよりも大きくてもよい。また、停留検知センサ１４５は、磁気検知タイプではなく、光学式センサであってもよく、接触式のセンサであってもよい。また、停留側貫通孔１４７の断面は円形状に限定されることはなく多角形状であってもよく、この場合、当該断面が不正球Ｂ２において中心を通る断面の全体を含む大きさであればよい。ちなみに、停留検知センサ１４５が設けられる位置は、入賞検知センサ８６における磁界に影響を与えない位置となっている。
【０１０１】
停留検知センサ１４５は、停留側貫通孔１４７内に遊技球Ｂ１や不正球Ｂ２が存在している場合に、その旨の信号を主制御装置７１に出力する。この場合、停留検知センサ１４５は、停留側貫通孔１４７内に遊技球Ｂ１や不正球Ｂ２が存在していない状況では非検知対応信号であるＬＯＷレベル信号を出力するとともに、停留側貫通孔１４７内に遊技球Ｂ１や不正球Ｂ２が存在している状況では検知対応信号であるＨＩレベル信号を出力する。但し、これに限定されることはなく、ＨＩ、ＬＯＷの関係が逆であってもよい。
【０１０２】
停留検知センサ１４５は、集合回収通路８３の通路形成部１４１において幅狭領域１３１に対して上流側にて連続する領域に形成されたセンサ設置部１４８に設置されている。当該センサ設置部１４８に停留検知センサ１４５が設置されていることにより、集合通路領域８８の軸線に対して停留側貫通孔１４７の軸線が同一直線上となる。
【０１０３】
停留検知センサ１４５が設けられていることにより、不正球Ｂ２が停留している場合には、それを主制御装置７１にて特定することが可能となり、それに対処することが可能となる。ちなみに、通路形成部１４１に形成された段差部１４３にて不正球Ｂ２を停留させるようにして、当該段差部１４３から上流側に連続するように停留検知センサ１４５の停留側貫通孔１４７が配されていることにより、停留している不正球Ｂ２が確実に停留側貫通孔１４７内に入り込むこととなる。よって、停留している不正球Ｂ２の検知を確実に行うことが可能となる。また、流下してきた不正球Ｂ２を下方から受ける部位が停留検知センサ１４５ではなく、通路形成部１４１側となるため、停留検知センサ１４５の故障の発生が抑制される。
【０１０４】
集合回収通路８３の通路形成部１４１には、停留している不正球Ｂ２を取り出すための構成が設けられている。具体的には、図８（ａ）に示すように、通路形成部１４１において停留検知センサ１４５が設けられた領域に対して上流側にて連続する領域の通路壁には、上側軸部１５１を介して通路形成部１４１の本体に軸支された上側開閉部材１５２が設けられている。また、通路形成部１４１において停留検知センサ１４５が設けられた領域に対して下流側にて連続する領域の通路壁、具体的には幅狭領域１３１の通路壁には、下側軸部１５３を介して通路形成部１４１の本体に軸支された下側開閉部材１５４が設けられている。
【０１０５】
これら開閉部材１５２，１５４のうち上側開閉部材１５２により開閉される開口部は、一般入賞口３１への入賞は可能であるが、幅狭領域１３１を通過することが不可な不正球Ｂ２を取り出すことが可能な大きさを有している。一方、下側開閉部材１５４により開閉される開口部は、少なくとも人の指を差し込むことが可能な大きさを有している。また、これら開閉部材１５２，１５４は、遊技盤２４の背面において主制御装置７１を取り外せば露出する位置に設けられており、主制御装置７１を取り外すことで開放可能な構成となっている。
【０１０６】
上記のように開閉部材１５２，１５４が設けられていることにより、幅狭領域１３１に対して不正球Ｂ２が停留した場合には、遊技ホールの管理者がそれを取り出すことが可能となる。つまり、不正球Ｂ２が停留した場合には、先ず遊技機本体１２及び裏パックユニット１５の開放操作を通じて遊技盤２４の背面を露出させるとともに主制御装置７１を取り外す。そして、両開閉部材１５２，１５４を開放状態とするとともに、下側の開口部を通じて指を挿入して上側の開口部へと不正球Ｂ２を押し出す。これにより、不正球Ｂ２を取り出すことが可能となり、不正行為の発見後の対処が容易となる。
【０１０７】
ちなみに、開閉部材１５２，１５４を閉鎖位置に保持するためのロック機構を設けてもよく、さらには当該ロック機構のロック解除操作を主制御装置７１の搭載状態では規制する構造を有する構成としてもよい。例えば、主制御装置７１の搭載状態では、開閉部材１５２，１５４の一部が主制御装置７１やその取付台と当接することで、開放位置への移動が不可となる構成としてもよい。これにより、開閉部材１５２，１５４を通じて不正用治具を挿入しようとする行為を抑制することが可能となる。また、停留検知センサ１４５の設置状態の安定性が上記構成よりも低下する可能性はあるが、一の開閉部材を、停留検知センサ１４５が設けられた領域に形成してもよい。
【０１０８】
次に、主側ＭＰＵ９２にて実行される入賞検知処理、及び不正球用処理について説明する。なお、これら入賞検知処理及び不正球用処理は、比較的短い周期（例えば２ｍｓｅｃ）で繰り返し起動される。
【０１０９】
図９（ａ）は入賞検知処理を示すフローチャートである。ちなみに、当該入賞検知処理は、第１集合回収通路８３に設けられた第１集合用の入賞検知センサ８６に対応した検知処理であるが、第２集合用の入賞検知センサ８７についても同様である。
【０１１０】
ステップＳ１１では、入賞検知センサ８６がＯＮとなっているか否かを判定する。ＯＮとなっている場合とは入賞検知センサ８６から検知対応信号を受信している状態のことであり、ＯＦＦとなっている場合とは入賞検知センサ８６から非検知対応信号を受信している状態のことである。入賞検知センサ８６がＯＦＦとなっている場合には、ステップＳ１２にて、主側ＲＷＭ９４に設けられた入賞タイマカウンタを「０」クリアした後に、本入賞検知処理を終了する。
【０１１１】
一方、入賞検知センサ８６がＯＮとなっている場合には、ステップＳ１３にて、入賞タイマカウンタの数値情報を１加算する。続くステップＳ１４では、入賞タイマカウンタが入賞確認の基準回数である「２」であるか否かを判定し、「２」でない場合にはそのまま本入賞検知処理を終了し、「２」である場合にはステップＳ１５にて入賞用処理を実行した後に、本入賞検知処理を終了する。入賞用処理では、一般入賞口３１に対応した所定個数の遊技球の払い出しを払出制御装置７８に指示するために賞球コマンドを送信する。
【０１１２】
上記のように入賞検知センサ８６がＯＮとなった際に即座に入賞用処理を実行するのではなく、入賞検知センサ８６がＯＮとなった状態を複数回に亘って確認した場合に入賞用処理を実行することで、単発的なノイズの影響で入賞用処理が実行されてしまうことを抑制できる。
【０１１３】
図９（ｂ）は不正球用処理を示すフローチャートである。
【０１１４】
ステップＳ２１では、停留検知センサ１４５がＯＮとなっているか否かを判定する。ＯＮとなっている場合とは停留検知センサ１４５から検知対応信号を受信している状態のことであり、ＯＦＦとなっている場合とは停留検知センサ１４５から非検知対応信号を受信している状態のことである。停留検知センサ１４５がＯＦＦとなっている場合には、ステップＳ２２にて、主側ＲＷＭ９４に設けられた停留タイマカウンタを「０」クリアした後に、本不正球用処理を終了する。
【０１１５】
一方、停留検知センサ１４５がＯＮとなっている場合には、ステップＳ２３にて、不正タイマカウンタの数値情報を１加算する。続くステップＳ２４では、不正タイマカウンタが不正球確認の基準回数である「２０」であるか否かを判定する。ここで、当該不正球確認の基準回数は、正規の遊技球Ｂ１が停留検知センサ１４５の停留側貫通孔１４７を通過している際には到達しない回数となっている。つまり、正規の遊技球Ｂ１が通過する場合であっても停留検知センサ１４５はＯＮとなるが、１個の遊技球Ｂ１が通過する場合には、上記不正球確認の基準回数に係る不正球確認用の待機期間が経過する前に、停留検知センサ１４５はＯＦＦとなる。これにより、正規の遊技球Ｂ１が通過している状況で、後述する異常処理が実行されてしまうことを抑制できる。
【０１１６】
ステップＳ２４にて否定判定をした場合には、そのまま本不正球用処理を終了する。その一方、ステップＳ２４にて肯定判定をした場合には、ステップＳ２５にて異常処理を実行した後に、本不正球用処理を終了する。
【０１１７】
異常処理では、不正球Ｂ２が停留していることを示す報知がエラーランプ部５８ｂの発光や、図柄表示装置４１における表示により行われるように、報知用処理として、報知コマンドを音声発光制御装置７２に送信する。また、払出停止用処理として、遊技球の払い出しを停止すべきことを示す払出停止コマンドを払出制御装置７８に送信する。
【０１１８】
但し、異常処理の内容は、上記のものに限定されることはなく、報知用処理及び払出停止用処理のうち一方のみが実行される構成としてもよい。また、報知用処理及び払出停止用処理に代えて又は加えて、遊技ホールの管理コンピュータに上記異常を示す信号を出力する構成としてもよく、遊技球の発射を停止させる構成としてもよく、遊技進行用の処理が実行されなくなる構成としてもよい。
【０１１９】
以上詳述した本実施の形態によれば、以下の優れた効果を奏する。
【０１２０】
一般入賞口３１に入賞した遊技球が通過することとなる案内通路としての集合回収通路８３に、元側通路領域として集合通路領域８８を設けるとともに、当該集合通路領域８８には、遊技球よりも大きく且つ一般入賞口３１への入賞は可能であるが入賞検知センサ８６の入賞側貫通孔１３６の通過を不可とする大きさの不正球Ｂ２（不正具）の入賞側貫通孔１３６に向けた流入を規制する規制手段又は規制用通過部として、幅狭領域１３１を設けた。これにより、不正球Ｂ２を一般入賞口３１に不正に入賞させたとしても、当該不正球Ｂ２は幅狭領域１３１を通過することはできず、幅狭領域１３１と上流領域１３２との間の段差部１４３に対して上流側から当接して、その当接した位置にて停留することとなる。この場合に、停留している不正球Ｂ２と、入賞検知センサ８６の入賞側貫通孔１３６との間の距離Ｌは、入賞検知センサ８６の検知範囲よりも遠い距離となっている。よって、不正球Ｂ２を入賞検知センサ８６に検知させ続けようとしても、それが不可となる。
【０１２１】
また、幅狭領域１３１の位置にて停留している不正球Ｂ２を検知するように停留検知センサ１４５を設けるとともに、当該停留検知センサ１４５の検知結果が、不正球Ｂ２が停留していることに対応した検知結果となった場合には異常処理を実行するようにした。これにより、不正球Ｂ２をパチンコ機１０内に流入させる行為が行われた場合には、遊技ホールの管理者がそれに対処することが可能となる。
【０１２２】
なお、不正球Ｂ２を停留させる位置は、当該不正球Ｂ２を一般入賞口３１の入口を通じてパチンコ機１０前方から視認可能となる位置としてもよい。この場合、幅狭領域１３１を集合通路領域８８に設けるのではなく、各一般入賞口３１に対してその下流側にて隣接する位置に設ける必要がある。
【０１２３】
また、集合通路領域８８が鉛直方向に形成された構成であっても、パチンコ機１０を遊技ホールの島設備に設置する際において意図的に後方側へと寝かせることが想定される。つまり、遊技領域が若干斜め上方を向くようにパチンコ機１０を若干寝かせて設置することが考えられる。この場合において、正規の遊技球Ｂ１の通過は良好なものとしながら、不正球Ｂ２の通過を規制するためには、通路断面を幅狭とするための段差が通路の底面側ではなく通路の天井面側に存在していることが好ましい。これは、集合通路領域８８が傾斜させて形成されている構成においても同様であり、この傾斜させて形成された集合通路領域８８において底面側ではなく天井面側に段差を設けて通路幅を狭くするとよい。
【０１２４】
＜第２の実施の形態＞
本実施の形態では、集合通路領域の通路構成が上記第１の実施の形態と異なっている。図１０（ａ）は本実施の形態における集合通路領域１６１の縦断面図である。
【０１２５】
図１０（ａ）に示すように、集合通路領域１６１は、その途中位置にて複数の通路領域、具体的には２つの通路領域に分岐している。詳細には、集合通路領域１６１は、上流通路領域１６２と、当該上流通路領域１６２の延長先に延びる不正球用の分岐領域１６３と、上流通路領域１６２及び不正球用の分岐領域１６３の流れとは異なる方向へと流れる正規球用の分岐領域１６４と、を備えている。さらに言うと、上流通路領域１６２及び不正球用の分岐領域１６３は鉛直方向又は略鉛直方向に延びており、正規球用の分岐領域１６４は所定方向（例えば横方向）に下り傾斜した分岐開始領域１６５を介して鉛直方向又は略鉛直方向に延びている。不正球用の分岐領域１６３には、上記第１の実施の形態における停留検知センサ１４５が設けられており、正規球用の分岐領域１６４には、上記第１の実施の形態における入賞検知センサ８６が設けられている。
【０１２６】
不正球用の分岐領域１６３及び正規球用の分岐領域１６４への分岐箇所には、分岐先の切換手段として、誘導部材１６６が設けられている。誘導部材１６６は、板状をなしており、その一端側が分岐開始領域１６５よりも上流側に設けられた切換軸部１６７により軸支されており、片持ち支持された状態となっている。また、誘導部材１６６は、分岐開始領域１６５よりも上流側であって上流通路領域１６２の出口部分を塞ぎ、且つ所定の板面１６６ａが上流通路領域１６２の上流側を向くこととなる初期位置（Ｐ１の位置）と、分岐開始領域１６５に向けて上記所定の板面１６６ａが下り傾斜するとともに正規の遊技球を正規球用の分岐領域１６４に向けて誘導する正規側への誘導位置（Ｐ２の位置）と、上流通路領域１６２から不正球用の分岐領域１６３への流路を確保し不正球を不正球用の分岐領域１６３に向けて誘導する不正側への誘導位置（Ｐ３の位置）と、のそれぞれの位置に回動可能となっている。
【０１２７】
上記のように誘導部材１６６が軸支された構成において、当該誘導部材１６６を初期位置に向けて付勢するバネなどの図示しない付勢部材１６８が設けられている。これにより、誘導部材１６６に外力が加えられていない状態では、当該誘導部材１６６は初期位置に配置される。その一方、付勢部材１６８の付勢力は、正規の遊技球や不正球が上方から載った際に、それぞれ正規側の誘導位置及び不正側の誘導位置に配置されるように設定されている。例えば、正規の遊技球はその重量が５．４ｇ〜５．７ｇであり、当該遊技球が誘導部材１６６に上方から載った場合には当該誘導部材１６６が正規側の誘導位置に配置され、不正球はその重量が６．０ｇ程度であり、当該不正球が誘導部材１６６に上方から載った場合には当該誘導部材１６６が不正側の誘導位置に配置される。これにより、正規の遊技球は正規球用の分岐領域１６４へ誘導され、当該正規の遊技球よりも直径が大きい不正球は不正球用の分岐領域１６３へ誘導される。
【０１２８】
分岐開始領域１６５の入口部分はその通路幅Ｘ３が入賞検知センサ８６の入賞側貫通孔１３６の直径Ｒと同一又は略同一となっている。つまり、当該通路幅Ｘ３は、正規の遊技球の通過を可能としながら、入賞側貫通孔１３６を通過不可な大きさに設定されている。これにより、正規球用の分岐領域１６４への不正球の流入が抑制される。
【０１２９】
その一方、上流通路領域１６２の通路幅、不正球用の分岐領域１６３の通路幅、及び停留検知センサ１４５の停留側貫通孔１４７の直径は、一般入賞口３１への入賞は可能であるが、入賞側貫通孔１３６の通過を不可とする不正球を、通過させることが可能な大きさに設定されている。そして、不正球は、不正球用の分岐領域１６３を介して遊技ホールの球送り機構側へと排出される。この場合、当該球送り機構側にて不正球の回収を行うための構成が付与されている。これにより、上記第１の実施の形態のように集合回収通路８３に開閉部材１５２，１５４を設ける必要がない。また、不正行為者が不正球をパチンコ機１０内に流入させる行為を行った後であっても、正規の遊技者に遊技を行わせることが可能となる。
【０１３０】
さらにまた、本実施の形態における不正球用処理（図９（ｂ））では、不正球の停留が発生しないため、ステップＳ２４において判定される不正球確認の基準回数は、「２０」ではなく、それよりも少ない数、つまり不正球の通過を検知可能な回数に設定されている。例えば、入賞確認の基準回数と同一の「２」となっている。これにより、不正球の通過に際して、上記第１の実施の形態における異常処理を実行することが可能となる。
【０１３１】
なお、図１０（ａ）の変形例として、図１０（ｂ）に示す構成としてもよい。
【０１３２】
当該構成では、誘導部材１６６の設けられた位置が図１０（ａ）の場合よりも不正球用の分岐領域１６３寄りとなっている。具体的には、初期位置に配置されている状況では、分岐開始領域１６５よりも下流側であって不正球用の分岐領域１６３の入口部分を塞ぎ、且つ所定の板面１６６ａが分岐開始領域１６５に向けて下り傾斜となるように構成されている。また、本構成では、誘導部材１６６を初期位置に付勢する付勢部材１６８の付勢力が、正規の遊技球が上方から載った際には誘導部材１６６が初期位置に概ね保持され、それよりも重量が大きい不正球が上方から載った際には誘導部材１６６が二点鎖線で示す不正側への誘導位置に回動するように設定されている。本構成であっても、正規の遊技球を正規球用の分岐領域１６４に誘導するとともに、それよりも重量が大きい不正球を不正球用の分岐領域１６３に誘導することが可能となる。
【０１３３】
＜第３の実施の形態＞
本実施の形態では、集合通路領域の通路構成が上記第１の実施の形態と異なっている。図１１（ａ）は本実施の形態における集合通路領域１７１の縦断面図である。
【０１３４】
図１１（ａ）に示すように、集合通路領域１７１は、その途中位置に複数の通路領域、具体的には２つの通路領域に分岐している。詳細には、集合通路領域１７１は、上流通路領域１７２と、当該上流通路領域１７２の延長先に延びる正規球用の分岐領域１７３と、上流通路領域１７２及び正規球用の分岐領域１７３の流れとは異なる方向へと流れる不正球用の分岐領域１７４と、を備えている。さらに言うと、上流通路領域１７２及び正規球用の分岐領域１７３は鉛直方向又は略鉛直方向に延びており、不正球用の分岐領域１７４は所定方向（例えば横方向）に下り傾斜した分岐開始領域１７５を介して鉛直方向又は略鉛直方向に延びている。正規球用の分岐領域１７３には、上記第１の実施の形態における入賞検知センサ８６が設けられており、不正球用の分岐領域１７４には、上記第１の実施の形態における停留検知センサ１４５が設けられている。
【０１３５】
なお、正規球用の分岐領域１７３及び不正球用の分岐領域１７４の並設方向は、横方向となっている。これにより、パチンコ機１０の設置に際して前後方向の傾きが生じている場合であっても、その傾きの影響が遊技球の分岐態様にまで及んでしまう可能性が低減される。
【０１３６】
正規球用の分岐領域１７３及び不正球用の分岐領域１７４への分岐箇所には、分岐先の切換手段として、誘導部材１７６が設けられている。ここで、当該誘導部材１７６の形状について、図１１（ｂ）を参照しながら説明する。
【０１３７】
図１１（ｂ）に示すように、誘導部材１７６は、連結部１７７から同一方向に突出するように形成された一対のアーム部１７８，１７９を有している。これら一対のアーム部１７８，１７９は、連結部１７７から離れるほど、両者の間隔が広くなるように形成されている。具体的には、一対のアーム部１７８，１７９間の距離は、その突出方向の少なくとも途中位置において正規の遊技球Ｂ１がアーム部１７８，１７９間を通過することが可能となるように設定されている。その一方、一対のアーム部１７８，１７９間の距離は、その突出方向の全体に亘って、正規の遊技球Ｂ１よりも直径が大きく、さらには一般入賞口３１への入賞は可能であって入賞検知センサ８６の入賞側貫通孔１３６の通過を不可とする直径を有する不正球Ｂ２が一対のアーム部１７８，１７９間を通過することが不可となるように設定されている。
【０１３８】
誘導部材１７６は、一対のアーム部１７８，１７９と連結部１７７とにより規定される上面１７６ａが上流通路領域１７２に臨むとともに、分岐開始領域１７５の逆側から当該分岐開始領域１７５に向けて下り傾斜した状態となるようにして、正規球用の分岐領域１７３よりも上流側に設けられている。これにより、正規の遊技球Ｂ１は正規球用の分岐領域１７３に流入する一方、不正球Ｂ２は不正球用の分岐領域１７４に流入する。また、本構成によれば、誘導部材１７６は固定式（例えば遊技盤２４や集合板８１に対して）であるため、付勢部材や駆動機構を備える必要がなく、構成の簡素化が図られる。
【０１３９】
なお、一対のアーム部１７８，１７９は突出方向に向けて除々に間隔が広くなるように形成されている必要はなく、一対のアーム部１７８，１７９間の距離が正規の遊技球Ｂ１の直径以上であって不正球Ｂ２の直径未満となるように設定されている構成としてもよい。また、一対のアーム部１７８，１７９を備えていることも必須ではなく、単一のアーム部を備えており、当該単一のアーム部と通路壁との距離が、上記のように設定されている構成としてもよい。つまり、誘導部材１７６は、上流通路領域１７２と正規球用の分岐領域１７３との間に、正規の遊技球Ｂ１の通過は可能とするが不正球Ｂ２の通過を不可とする開口部を形成するとともに、不正球Ｂ２を不正球用の分岐領域１７４に向けて誘導する傾斜面を形成する構成であればよい。
【０１４０】
また、誘導部材１７６の上面１７６ａには、上記開口部に向けた傾斜面が形成されていることが好ましい。この場合、開口部への傾斜面は不正球用の分岐領域１７４に向けて誘導する傾斜面よりも急傾斜であり、正規の遊技球Ｂ１は開口部への誘導が優先され、不正球Ｂ２は開口部への傾斜面上には載らないことで不正球用の分岐領域１７４への誘導が優先される構成とすることが好ましい。
【０１４１】
＜第４の実施の形態＞
本実施の形態では、不正球を利用して所定の特典を繰り返し得ようとする不正行為を抑制するための規制手段が、集合通路領域８８ではなく、遊技領域よりも遊技球の移動元側に設けられている。具体的には、規制手段が上皿６１ａに設けられている。当該構成について図１２を参照しながら説明する。図１２（ａ）は上皿６１ａの平面図であり、図１２（ｂ）は図１２（ａ）のＣ―Ｃ線断面図である。
【０１４２】
図１２（ａ）に示すように、上皿６１ａにおいて出口へと続く領域には、当該出口に向けて下り傾斜し、さらに内枠１３の球送り装置５３に向けて遊技球を一列に予備整列させるための予備整列部１８１が形成されている。予備整列部１８１は、図１２（ｂ）に示すように、上方に開放されているとともに、正規の遊技球Ｂ１が入り込み可能な溝状に形成されている。この場合に、当該予備整列部１８１の通路幅Ｘ４は、正規の遊技球Ｂ１の直径よりも若干大きく形成されており、さらには一般入賞口３１への入賞が可能であって入賞検知センサ８６の入賞側貫通孔１３６の通過が不可である不正球Ｂ２の直径よりも小さく形成されている。
【０１４３】
上記構成によれば、不正球Ｂ２が予備整列部１８１を通過することが不可となり、上記第１の実施の形態にて説明したような不正球Ｂ２を利用した不正行為を行うべく、当該不正球Ｂ２を遊技領域に向けて発射させようとしてもそれが不可となる。なお、当該効果を奏する上では、予備整列部１８１の全体が上記のような通路幅に設定されている必要はなく、少なくとも一部が上記のような通路幅に設定されていればよい。
【０１４４】
また、本構成によれば、パチンコ機１０の前面部にて不正球Ｂ２の流入を阻止することが可能となるため、パチンコ機１０内部に流入した不正球Ｂ２を排出するための構成を設ける必要がない。よって、構成の簡素化が図られる。さらにまた、遊技ホールの管理者が不正球Ｂ２を取り除く場合に、遊技機本体１２や前扉枠１４の開放操作を要しないため、当該取り除く作業の作業性が向上する。
【０１４５】
予備整列部１８１の入口部分には、図１２（ａ）に示すように、正規の遊技球Ｂ１や不正球Ｂ２が停留していることを検知するための停留検知センサ１８２が設けられている。当該停留検知センサ１８２としては、金属球の存在による磁界の変化を検知する磁気センサが採用されているが、これに限定されることはなく、光学式センサや、接触を検知する接触式のセンサを用いてもよい。また、本実施の形態では、停留検知センサ１８２だけでなく、発射レール５２の発射先側の位置、又は誘導レール上に、通過検知センサ１８３が設けられている。通過検知センサ１８３としては、磁気センサが採用されているが、これに限定されることはなく、光学式センサや、接触式のセンサを用いてもよい。これら停留検知センサ１８２及び通過検知センサ１８３の検知結果は主制御装置７１に入力される。
【０１４６】
次に、図１２（ｃ）のフローチャートを参照しながら、本実施の形態における不正球用処理を説明する。
【０１４７】
当該不正球用処理では、ステップＳ３１にて停留検知センサ１８２がＯＮとなっているか否かを判定する。また、ステップＳ３２にて発射許可信号の送信状況に基づき、遊技球発射機構５１のソレノイド５４に駆動信号が供給されているか否かを判定する。また、ステップＳ３３にて、通過検知センサ１８３にて遊技球の通過を検知していない状況を継続しているか否かを判定する。なお、ステップＳ３３では、通過検知センサ１８３にて遊技球を検知していない状態が、遊技球の発射周期に対して２以上の数を積算した期間（例えば１．８ｓｅｃ）に亘って継続しているか否かを判定している。
【０１４８】
ステップＳ３１〜ステップＳ３３のいずれかにて否定判定をした場合には、そのまま本不正球用処理を終了する。一方、ステップＳ３１〜ステップＳ３３の全てにおいて肯定判定をした場合には、ステップＳ３４にて異常処理を実行した後に、本不正球用処理を終了する。当該異常処理の処理内容は、上記第１の実施の形態と同様である。
【０１４９】
上記のように不正球用処理が実行されることで、不正球Ｂ２を利用した不正を行おうとした場合には、それに対処することが可能となる。特に、異常処理の実行条件として、発射操作が行われていることと、遊技球の通過を所定期間に亘って継続していないことという各条件が含まれていることにより、正規に遊技が行われている状況で異常処理が実行されてしまう可能性が低減される。
【０１５０】
なお、磨耗による予備整列部１８１の通路幅の拡張を抑えるためには、当該予備整列部１８１の通路壁の表面を金属により形成することが好ましい。
【０１５１】
＜第５の実施の形態＞
本実施の形態では、上皿６１ａに設けられた予備整列部の通路構成が上記第４の実施の形態と異なっている。具体的には、図１３（ａ）に示すように、本実施の形態における予備整列部１９１は、一般入賞口３１への入賞が可能であって入賞検知センサ８６の入賞側貫通孔１３６の通過が不可である不正球Ｂ２の流入を許容している。但し、予備整列部１９１の通路幅は、深さ方向の位置が高い位置であるほど幅広となっている。具体的には、予備整列部１９１の一対の通路壁面１９２，１９３は、底面に向けて連続的に幅狭となるようにテーパ状に形成されている。
【０１５２】
上記構成であることにより、予備整列部１９１を通過する場合において、正規の遊技球Ｂ１と不正球Ｂ２とで、通過する際の高さ位置が異なり、具体的には直径が大きい不正球Ｂ２の方が正規の遊技球Ｂ１よりも高い位置を通過することとなる。この場合に、上皿６１ａに形成された出口の下端の位置を予備整列部１９１の底面に合わせることで、予備整列部１９１を下った不正球Ｂ２は上皿６１ａの出口に入り込むことが不可となる。よって、不正球Ｂ２のパチンコ機１０内部への流入を阻止することが可能となる。
【０１５３】
予備整列部１９１には、正規の遊技球Ｂ１が通過する場合よりも上方の位置を金属球が通過したことを検知するための不正球検知センサ１９４が設けられている。不正球検知センサ１９４は、その検知領域１９４ａが、予備整列部１９１の通路壁面１９２において正規の遊技球Ｂ１が通過する際に接触する面よりも上方の領域に設けられている。また、当該検知領域１９４ａは、予備整列部１９１の通路方向において複数の遊技球分に亘って設けられており、具体的には予備整列部１９１の通路方向の全体又は略全体に亘って設けられている。これにより、不正球検知センサ１９４において不正球Ｂ２を検知することが可能となる。この不正球検知センサ１９４の検知結果は、主制御装置７１に入力される。
【０１５４】
次に、図１３（ｂ）のフローチャートを参照しながら、本実施の形態における不正球用処理を説明する。
【０１５５】
当該不正球用処理では、先ずステップＳ４１にて不正球検知センサ１９４がＯＮとなっている期間が不正基準期間（例えば２ｓｅｃ）以上であるか否かを判定する。ステップＳ４１にて否定判定をした場合には、そのまま本不正球用処理を終了する。一方、ステップＳ４１にて肯定判定をした場合にはステップＳ４２にて発射停止用処理を実行するとともに、ステップＳ４３にて報知用処理を実行した後に、本不正球用処理を終了する。
【０１５６】
上記のように不正球用処理が実行されることで、不正球Ｂ２を利用した不正を行おうとした場合には、それに対処することが可能となる。
【０１５７】
なお、不正球検知センサ１９４に代えて又は加えて、予備整列部１９１において正規の遊技球Ｂ１が接触するが不正球Ｂ２が接触しない面に検知領域を有する別の検知センサを設けてもよい。この場合、当該検知センサの検知範囲を、予備整列部１９１の通路方向の一部であって１個の遊技球Ｂ１の直径よりも小さい範囲とするとともに、通路方向に離間させて複数設ける。そして、上流側の検知センサにて遊技球を検知しているにも関わらず、下流側の検知センサにて遊技球を検知していない場合には異常処理を実行するようにする。本構成であっても、不正球Ｂ２に対処することが可能となる。
【０１５８】
＜第６の実施の形態＞
本実施の形態では、不正球Ｂ２を利用して所定の特典を繰り返し得ようとする不正行為を抑制するための規制手段が、球送り装置５３に設けられている。具体的には、図１４（ａ）に示すように、球送り装置５３は、上皿６１ａ側から続く球送り通路２０１と、当該球送り通路２０１により誘導された遊技球を下方から受けて１個ずつ発射レール５２上に供給するための供給部材２０２と、球送り通路２０１からの遊技球の受入を許容する受入位置及びその受け入れた遊技球を発射レール５２に供給するための供給位置の間で供給部材２０２を回動させる球送り駆動部２０３と、を備えている。
【０１５９】
なお、球送り駆動部２０３は、磁気による吸引を利用して供給部材２０２を受入位置に配置するとともに、その吸引を解除することで供給部材２０２を供給位置に配置する駆動部であるが、これに限定されることはなく、例えば回転モータを利用してもよい。
【０１６０】
上記構成において、球送り通路２０１は、正規の遊技球Ｂ１を一列に並べた状態で供給部材２０２に向けて誘導するように形成されているが、その通路断面は、一般入賞口３１への入賞が可能であって入賞検知センサ８６の入賞側貫通孔１３６の通過を不可とする不正球Ｂ２の通過も許容するように形成されている。一方、供給部材２０２は、遊技球を受け入れる場合、球送り通路２０１よりも低い位置にて遊技球を下方から受けることとなるが、不正球Ｂ２の発射レール５２への供給を不可とするように形成されている。
【０１６１】
この場合に、図１４（ｂ）に示すように、供給部材２０２により通過が阻止された状態の不正球Ｂ２は、球送り通路２０１の延長先の位置よりも低い位置に配置される。したがって、不正球Ｂ２に対して上流側に正規の遊技球Ｂ１が並んでいたとしても、その先頭の遊技球Ｂ１は不正球Ｂ２に対して若干上方から当接することとなる。また、球送り装置５３には通路壁２０４が形成されており、上流側の遊技球列から不正球Ｂ２に付与される球圧は、通路壁２０４に対する不正球Ｂ２の当接により吸収される。したがって、上皿６１ａ側に貯留されている遊技球を下流側に向けて押圧して、発射レール５２上に強引に不正球Ｂ２を供給しようとしても、それが行いづらくなっている。
【０１６２】
つまり、本構成によれば、球送り装置５３の出口部分において不正球Ｂ２のそれ以上の流入を阻止することができるとともに、上皿６１ａ側からの球圧が球送り装置５３の出口部分に停留している不正球Ｂ２に伝わりづらくするように球送り通路２０１の通路方向が変更されているため、不正球Ｂ２を強引に押し込もうとする行為も阻止することが可能となる。
【０１６３】
また、球送り装置５３は樹脂ベース２１の前面に対して着脱自在に設けられている。具体的には、球送り装置５３は、樹脂ベース２１の前面に対して、一端が軸支されているとともに、他端が手動により所定箇所を弾性変形させることで係合解除操作を行うことが可能に係合されている。したがって、球送り装置５３内において不正球Ｂ２が停留した場合には、前扉枠１４を開放させるとともに球送り装置５３を樹脂ベース２１から取り外すことで、当該不正球Ｂ２を簡単に取り出すことが可能となる。
【０１６４】
なお、本実施の形態において球送り装置５３の出口部分に停留検知センサを設け、上記各実施の形態のような不正球用処理を実行するようにしてもよい。
【０１６５】
また、球送り通路２０１において通路方向を変更する方向は、縦方向に限定されることはなく、横方向であってもよく、斜め方向であってもよい。この場合であっても、その曲がり部分よりも上流側の領域の延長先に壁を設けて、当該壁にて球圧を受けることができるようにすればよい。
【０１６６】
また、球送り装置５３の出口部分に停留している不正球Ｂ２に対して、その上流側からの球圧が直接的に掛かり得る構成としたが、不正球Ｂ２が停留する位置をより下方、具体的には曲がり部よりも下流側において当該曲がり部と不正球Ｂ２との間に少なくとも１個の遊技球が存在し得るようにすることで、上流側からの球圧を不正球Ｂ２に伝わりづらくする効果がより高められる。
【０１６７】
また、球送り装置５３の入口部分や、球送り通路２０１の途中位置にて不正球Ｂ２の通過を阻止する構成としてもよい。この場合であっても、その通過を阻止する位置を、通路の曲がり部よりも下流側に設けることが好ましい。また、球送り装置５３の入口部分にて不正球Ｂ２の通過を阻止する構成とすれば、球送り通路２０１の途中位置や出口部分にて通過を阻止する構成に比べて、不正球Ｂ２の取り出し作業の容易化が図られる。
【０１６８】
＜第７の実施の形態＞
本実施の形態では、集合通路領域において入賞検知センサ８６の上流側における通路構成が上記第１の実施の形態と異なっている。以下に、その相違する構成について、図１５及び図１６を参照しながら説明する。
【０１６９】
図１５（ａ）は、上記上流側における通路を区画形成するための通路形成ユニット３１０の背面側から見た斜視図であり、図１５（ｂ）は、当該通路形成ユニット３１０の正面側から見た斜視図である。また、図１６（ａ）は、通路形成ユニット３１０の縦断面図であり、図１６（ｂ）は、通路形成ユニット３１０の横断面図である。
【０１７０】
図１５（ａ）及び図１５（ｂ）に示すように、通路形成ユニット３１０は、一般入賞口３１に入賞し、第１集合回収通路８３（図５参照）を通過した遊技球を、入賞検知センサ８６（図５参照）に誘導するための正規球用通路領域３１２を区画形成するベース通路部材３１１を備えている。また、通路形成ユニット３１０は、正規の遊技球よりも大きいものであって、一般入賞口３１への入賞を可能としながら入賞検知センサ８６の通過を不可とする不正球を正規球用通路領域３１２からその外部に導き、さらにその導出先において当該不正球を停留させる排出用部材３２１を備えている。なお、ベース通路部材３１１及び排出用部材３２１はいずれも、有色不透明の合成樹脂により形成されているが、有色透明又は無色透明の合成樹脂により形成されていてもよく、一部又は全部において金属が用いられていてもよい。
【０１７１】
ベース通路部材３１１は、板材を一方の板面側から他方の板面側に凹ませるようにして形成されており、正規球用通路領域３１２を区画形成するための区画部３１３と、当該区画部３１３において凹み元側の端部から外側に張り出すようにして一体形成されたフランジ部３１４と、を備えている。そして、図１６（ａ）及び図１６（ｂ）に示すように、区画部３１３において凹み先側となる背板部３１５が遊技盤２４の背面から最も離間されるようにして、フランジ部３１４を遊技盤２４の背面に当接させた状態で、当該フランジ部３１４に形成された貫通孔３１４ａを通じてネジ止めを行うことにより、通路形成ユニット３１０が遊技盤２４に固定されている。
【０１７２】
このように通路形成ユニット３１０が固定されていることにより、区画部３１３におけるフランジ部３１４側の開口部分が遊技盤２４の背面により塞がれ、正規球用通路領域３１２が形成されている。正規球用通路領域３１２は、図１６（ａ）に示すように、縦方向（詳細には鉛直方向）に延びており、上流側の開口部分が第１集合回収通路８３に通じているとともに、下流側の開口部分が入賞検知センサ８６側に通じている。
【０１７３】
区画部３１３の縦方向の途中位置には、正規球用通路領域３１２を背板部３１５側にて外部に開放させるための開口部３１６が形成されている。この開口部３１６を通じて、排出用部材３２１が正規球用通路領域３１２側に挿入されている。
【０１７４】
排出用部材３２１は、図１５（ａ）及び図１５（ｂ）に示すように、不正球を停留させるための停留領域３２３を区画形成する排出用基部３２２と、当該排出用基部３２２から一方に向けて延びるように一体形成された一対のアーム部３２４，３２５と、を備えている。一対のアーム部３２４，３２５はそれぞれ、板状をなしており、所定の間隔だけ離間された状態で配置されている。そして、一対のアーム部３２４，３２５において排出用基部３２２側とは反対側の端部を含めて、その延出方向の所定範囲に亘って、アーム部３２４，３２５間には他の部材が不具備となった振分用空間が生じている。
【０１７５】
排出用部材３２１は、一対のアーム部３２４，３２５において上記振分用空間を生じさせている部分が上記開口部３１６を通じて正規球用通路領域３１２内に入り込み、排出用基部３２２が正規球用通路領域３１２の外側、詳細には上記背板部３１５よりもパチンコ機１０後側となるようにして、ベース通路部材３１１に装着されている。この場合、一対のアーム部３２４，３２５が向かい合う方向は、正規球用通路領域３１２に対して直交する方向となっている。つまり、一対のアーム部３２４，３２５は、横方向に向かい合う状態となっている。
【０１７６】
装着にかかる構成について詳細には、一対のアーム部３２４，３２５は、挿入元側の端部が排出用基部３２２側に入り込んでいるが、これら一対のアーム部３２４，３２５は、区画部３１３において左右一対の側壁部に形成されたガイド溝部３１７ａ，３１７ｂに対して上方から載っている。これにより、各アーム部３２４，３２５を対応するガイド溝部３１７ａ，３１７ｂ上に載せることで、ベース通路部材３１１に対する排出用部材３２１の縦方向の位置決めを行うことが可能となる。また、一対のアーム部３２４，３２５を正規球用通路領域３１２側に挿入させる際には、その挿入方向がガイド溝部３１７ａ，３１７ｂによりガイドされる。
【０１７７】
特に、一対のアーム部３２４，３２５の上端部には縦方向に起立した部分から外側へ張り出すとともに、下端側へと所定量分戻るようにして張出部３２４ａ，３２５ａが一体形成されており、当該張出部３２４ａ，３２５ａに対応させてガイド溝部３１７ａ，３１７ｂが形成されている。これにより、張出部３２４ａ，３２５ａはガイド溝部３１７ａ，３１７ｂにより下方から受けられているだけでなく、張出部３２４ａ，３２５ａの上記戻り領域がガイド溝部３１７ａ，３１７ｂに対してその外側に回り込んだ状態となり、ベース通路部材３１１に対する排出用部材３２１の縦方向の位置決めだけでなく、横方向の位置決めも行われている。
【０１７８】
また、一対のアーム部３２４，３２５には、図１５（ａ）に示すようにストッパ３２６が一体形成されている（図１５（ａ）においては一方のストッパ３２６のみを示す）。ストッパ３２６は、一対のアーム部３２４，３２５を正規球用通路領域３１２側に対して所定量挿入させた場合に、背板部３１５における上記開口部３１６の周縁部に対して挿入元側から当接することとなる。これにより、一対のアーム部３２４，３２５の挿入量が所定量となった状態で、ベース通路部材３１１に対して排出用部材３２１が位置決めされる。
【０１７９】
ちなみに、このように位置決めされた状態において、一対のアーム部３２４，３２５における挿入先側の端部は、区画部３１３よりも挿入先側に突出している。したがって、一対のアーム部３２４，３２５における挿入先側の端部は、図１６（ａ）及び図１６（ｂ）に示すように、遊技盤２４内に入り込んでいる。
【０１８０】
上記のように位置決めされた状態において、図１５（ａ）及び図１５（ｂ）に示すように、排出用部材３２１は、ベース通路部材３１１の区画部３１３から後方に起立させて一体形成された左右一対のフック３１８ａ，３１８ｂにより挿入元側から係止されている。これにより、排出用部材３２１のベース通路部材３１１からの抜けが防止され、排出用部材３２１が固定されている。ここで、フック３１８ａ，３１８ｂはそれぞれ、その並設方向に弾性変形可能となるように板状に形成されているとともに、他方を臨む側の面に、排出用部材３２１との間で係止箇所を生じさせるフック面から起立先側の端部に亘って先細りさせるように傾斜面が形成されている。これにより、排出用部材３２１をベース通路部材３１１に挿入させ、上記のように位置決めされた状態となった場合には、フック３１８ａ，３１８ｂにより自ずと係止された状態となる。排出用部材３２１が上記のようにベース通路部材３１１に固定されていることにより、排出用部材３２１の汚れや損傷等により当該排出用部材３２１を交換させる必要が生じた場合には、当該交換を容易に行うことが可能となる。
【０１８１】
次に、通路形成ユニット３１０により不正球を正規球用通路領域３１２から停留領域３２３に排出させるための構成について説明する。
【０１８２】
図１６（ａ）及び図１６（ｂ）に示すように、一対のアーム部３２４，３２５は、正規球用通路領域３１２内に入り込んでおり、これら一対のアーム部３２４，３２５により正規球用通路領域３１２の通路幅は、それよりも上流側に比べて狭くなっている。この場合に、一対のアーム部３２４，３２５において正規球用通路領域３１２内に入り込んでいる部分間の距離は、図１６（ｂ）に示すように、その全体に亘って正規の遊技球Ｂ１の直径よりも大きく設定されている一方、不正球Ｂ２の直径よりも小さく設定されている。これにより、正規の遊技球Ｂ１については一対のアーム部３２４，３２５間を通過可能としながら、不正球Ｂ２については一対のアーム部３２４，３２５間を通過不可としている。
【０１８３】
ここで、一対のアーム部３２４，３２５は、挿入先側の先端部から排出用基部３２２に向けて、両者の間の距離が除々に広くなるように形成されている。また、一対のアーム部３２４，３２５においてその最上流部は、上述した張出部３２４ａ，３２５ａにより形成されており、この張出部３２４ａ，３２５ａは上方に向けて凸となる曲面状に形成されている。したがって、上流側から一対のアーム部３２４，３２５上に載った不正球Ｂ２は、自重により排出用基部３２２に向けて下る力が生じ、自ずと排出用基部３２２に向けて下ることとなる。
【０１８４】
特に、上記のようにアーム部３２４，３２５が形成されていることにより、張出部３２４ａ，３２５ａの上面を排出用基部３２２に向けて下り傾斜させるのではなく、水平状態にしたとしても不正球Ｂ２を排出用基部３２２側に自重により誘導することが可能となる。このように水平状態とした場合には、正規の遊技球Ｂ１が張出部３２４ａ，３２５ａの上面に当接したとしても、それが排出用基部３２２側に誘導されづらくなる。
【０１８５】
さらにまた、張出部３２４ａ，３２５ａの上面が上記のように曲面状に形成されていることにより、当該上面に正規の遊技球Ｂ１が当接したとしても、その当接した際に遊技球Ｂ１が受ける力の方向がそれまでの流下方向に対して真逆の方向となりづらくなる。よって、当該遊技球Ｂ１が一対のアーム部３２４，３２５間にて暴れづらくなり、正規の遊技球Ｂ１の通過を阻害してしまうことを抑制しながら、不正球Ｂ２を排出用基部３２２側に誘導することが可能となる。
【０１８６】
但し、不正球Ｂ２の排出用基部３２２に向けた誘導を効率的に行う上では、張出部３２４ａ，３２５ａの上面を排出用基部３２２側に向けて下り傾斜させてもよい。
【０１８７】
排出用基部３２２について詳細には、排出用基部３２２は、図１６（ａ）に示すように、区画部３１３における背板部３１５から外側に向けて下り傾斜させて形成された誘導傾斜部３２７と、当該誘導傾斜部３２７の誘導先側にて停留領域３２３を区画形成する停留部３２８と、が一体形成されている。誘導傾斜部３２７は、一対のアーム部３２４，３２５をその延出方向の途中位置にて連結するようにして一対のアーム部３２４，３２５間に形成されており、その傾斜元側の端部は正規球用通路領域３１２内に入り込んでいない。また、当該傾斜元側の端部が形成された位置は、一対のアーム部３２４，３２５間の距離が不正球Ｂ２の直径よりも長くなる位置又はそれよりも正規球用通路領域３１２側となっている。これにより、一対のアーム部３２４，３２５により誘導された不正球Ｂ２は、誘導傾斜部３２７上を下ることで停留部３２８へと誘導される。
【０１８８】
なお、ベース通路部材３１１の区画部３１３における開口部３１６には、その上縁部分から上方へ凹ませるようにして凹部３１６ａが形成されている。これにより、開口部３１６を通過する不正球Ｂ２が当該開口部３１６の周縁部にて引っ掛かることなく、停留部３２８へ良好に誘導される。
【０１８９】
停留部３２８は、上方に開放された受け皿状をなしており、１個の不正球Ｂ２を停留させることが可能な空間を区画形成している。但し、これに限定されることはなく、複数個の不正球Ｂ２を停留させることが可能な構成であってもよい。停留部３２８が形成されていることにより、当該停留部３２８に不正球Ｂ２が停留しているか否かを目視確認することで、当該不正球Ｂ２を利用した不正行為が行われたか否かを把握することが可能となる。また、このように目視確認の容易化が図られていることにより、不正球Ｂ２の有無を検知するための検知センサを設ける必要がなくなる。
【０１９０】
但し、停留部３２８に不正球Ｂ２の有無を検知するための検知センサを設けてもよく、この場合、目視確認を行うことなく不正球Ｂ２の有無を把握することが可能となるとともに、検知センサによる検知の結果、不正球Ｂ２が停留している可能性がある場合には、それを目視により明確に把握することが可能となる。
【０１９１】
上記のとおり停留部３２８は上方に開放されているため、停留部３２８に停留している不正球Ｂ２は、所定の開放操作を通じて、通路形成ユニット３１０が設けられた領域を露出させることにより取り除くことが可能となる。かかる所定の開放操作について詳細には、通路形成ユニット３１０は、パチンコ機１０の内部、具体的には遊技盤２４の背面側に設けられているため、シリンダ錠１７に対する解錠操作を行うとともに、遊技機本体１２の回動操作と、裏パックユニット１５及び主制御装置７１の内枠１３に対する分離操作とを行うことで、停留部３２８を露出させることが可能となる。つまり、通路形成ユニット３１０の閉空間内にて不正球Ｂ２を停留させる構成に比べて、不正球Ｂ２の除去を容易に行うことが可能となる。
【０１９２】
＜第８の実施の形態＞
本実施の形態では、上記第１の実施の形態などと異なり、入賞検知センサよりも上流側における通路領域にて、入賞検知センサ側への不正球の侵入を防止するのではなく、入賞検知センサにて不正球を積極的に受け止める構成となっている。以下に、その相違する構成について、図１７を参照しながら説明する。図１７は、集合通路領域３３１に設けられた入賞検知センサ３３２の構成を説明するための縦断面図である。
【０１９３】
図１７に示すように、入賞検知センサ３３２は、磁気検知タイプの近接センサにて構成されており、厚み方向に貫通するように入賞側貫通孔３３４が形成された箱状のセンサハウジング３３３を備えている。入賞側貫通孔３３４は、その全体に亘って同一方向に延びるように形成されており、その全体に亘って孔の直径が同一又は略同一となっている。この入賞側貫通孔３３４の具体的な内容は、上記第１の実施の形態における入賞検知センサ８６と同様である。
【０１９４】
センサハウジング３３３には、入賞側貫通孔３３４の外周側に沿うようにして検知コイル３３５が内蔵されており、さらには検知コイル３３５の周囲を覆うようにしてコア３３６が内蔵されている。コア３３６は、フェライトなどにより形成されており、検知コイル３３５の高周波特性を向上させるとともに、磁束を所定方向に集中させる機能を有する。なお、コア３３６は、センサハウジング３３３の内部に設けられており、入賞側貫通孔３３４側などに露出しておらず、遊技球Ｂ１などとの接触が防止されている。
【０１９５】
また、センサハウジング３３３には、検知コイル３３５と電気的に接続された発振用コンデンサ、発振回路、検波回路、コンパレータ回路、出力回路及び信号線接続用のコネクタ３３７ａを有するセンサ基板３３７が内蔵されている。
【０１９６】
検知コイル３３５による検知範囲内に遊技球が存在している場合には、その旨の信号が主制御装置７１に出力される。この場合、入賞検知センサ３３２は、上記検知範囲内に遊技球が存在していない状況では非検知対応信号であるＨＩレベル信号を出力するとともに、上記検知範囲内に遊技球が存在している状況では検知対応信号であるＬＯＷレベル信号を出力する。但し、これに限定されることはなく、上記検知範囲内に遊技球が存在していない状況では非検知対応信号であるＬＯＷレベル信号を出力するとともに、上記検知範囲内に遊技球が存在している状況では検知対応信号であるＨＩレベル信号を出力する構成としてもよい。
【０１９７】
入賞検知センサ３３２は、集合通路領域３３１の軸線に対して入賞側貫通孔３３４の軸線が同一直線上となるようにして、センサ設置部３３８に設置されている。入賞側貫通孔３３４の直径（すなわち通路幅）は、それよりも上流側の通路幅よりも狭くなっており、正規の遊技球Ｂ１よりも大きいものであって一般入賞口３１への入賞を可能とする不正球Ｂ２の通過を不可とする大きさとなっている。これにより、集合通路領域３３１内に不正球Ｂ２が入り込んだ場合には、当該不正球Ｂ２は、入賞側貫通孔３３４における上流側の開口部の周縁に対して上流側から当接し、それ以上の侵入が防止される。
【０１９８】
ここで、センサハウジング３３３は、合成樹脂製の複数のハウジング部材３３３ａ，３３３ｂを組み合わせることにより形成されている。この場合に、上記上流側の開口部の周縁を構成するハウジング部材３３３ａは、他のハウジング部材３３３ｂよりも柔軟なものとなるように形成されている。具体的には、上流側の開口部の周縁を構成するハウジング部材３３３ａは、柔軟性が高い樹脂材料を用いて形成されているとともに、他のハウジング部材３３３ｂに比べて肉厚に形成されている。これにより、入賞検知センサ３３２に所定の強度を付与しながら、不正球Ｂ２が上流側から衝突することによる衝撃を上記柔軟なハウジング部材３３３ａにより吸収し易くなる。ちなみに、このように柔軟なハウジング部材３３３ａを設けることにより、正規の遊技球Ｂ１が上記上流側の開口部の周縁に衝突した際に当該遊技球Ｂ１が暴れづらくなる。
【０１９９】
上記のようにセンサハウジング３３３の上流側の面にて不正球Ｂ２を積極的に受け止めるようにした構成において、上記検知範囲内に不正球Ｂ２が含まれないように上記検知コイル３３５の位置及び検知範囲が設定されている。具体的には、検知コイル３３５は入賞側貫通孔３３４における下流側の開口部に偏倚させて配置されているとともに、検知コイル３３５が設けられた位置（検知コイル３３５における軸線方向の上流側端部又は当該軸線方向の途中位置）よりも下流側が検知範囲ＤＡとなるようにコア３３６が形成されている。さらにまた、センサハウジング３３３の厚み寸法は、上記上流側の開口部から検知コイル３３５の位置（すなわち、検知範囲ＤＡの上流側の始点となる位置）までの距離が、上記上流側の開口部の周縁に対して上流側から当接している不正球Ｂ２が検知範囲ＤＡに含まれないように設定されている。
【０２００】
上記構成であることにより、入賞検知センサ３３２にて不正球Ｂ２を積極的に受け止めるようにした構成において、不正球Ｂ２の存在を要因として入賞検知センサ３３２が検知状態となってしまうことを阻止することが可能となる。
【０２０１】
ちなみに、当該検知範囲ＤＡには、入賞検知センサ３３２よりも下流側（すなわち、センサハウジング３３３よりも下流側）の特定範囲が含まれるように設定されている。これにより、検知範囲ＤＡとして、通路方向に所定の広さが確保され、正規の遊技球Ｂ１の検知を良好に行うことが可能となる。
【０２０２】
なお、本構成においては、入賞検知センサ３３２にて不正球Ｂ２が受けられていることを検知するためのセンサは存在していない。但し、これに限定されることはなく、不正球Ｂ２が受けられていることを検知するためのセンサを設けてもよい。この場合、当該センサを、入賞検知センサ３３２による遊技球Ｂ１の検知に影響を与えないように設けることが好ましい。例えば、センサとして、接触式のセンサや、光学式のセンサを利用することで、入賞検知センサ３３２の磁束への影響を生じさせないようにしてもよく、磁気検知式を利用する場合には、各センサの検知範囲が干渉しないようにセンサの配置を行う構成としてもよい。
【０２０３】
また、目視確認の容易化を図るべく、集合通路領域３３１を区画形成する通路形成部材を、透明性を有するように形成してもよい。また、不正球Ｂ２の取り外しを可能とするように、上記第１の実施の形態と同様に、通路形成部材の一部の開放操作に伴って、不正球Ｂ２の取り外しを可能とする開口が生じる構成としてもよい。
【０２０４】
また、センサハウジング３３３における上流側の開口部の周縁に当接して停留している不正球Ｂ２が検知範囲ＤＡに含まれないのであれば、当該検知範囲ＤＡに、センサハウジング３３３よりも下流側が含まれない構成としてもよく、検知コイル３３５を基準として上流側及び下流側に均等となるように検知範囲ＤＡが設定されていてもよく、検知コイル３３５よりも上流側に向けて検知範囲ＤＡが設定されていてもよい。
【０２０５】
また、センサハウジング３３３において不正球Ｂ２を積極的に受け止める箇所（すなわち、不正球Ｂ２を受け止めることができるように通路幅を狭くする箇所）は、センサハウジング３３３において上流側の開口部の周縁である必要はなく、入賞側貫通孔３３４の軸線方向の途中位置であってもよい。この場合、その積極的に受け止める箇所が検知範囲ＤＡに含まれないように検知コイル３３５の設置箇所を調整する必要がある。
【０２０６】
＜第９の実施の形態＞
本実施の形態では、上記第８の実施の形態と同様に、入賞検知センサにて不正球を積極的に受け止める構成となっている。但し、入賞検知センサの構成が上記第８の実施の形態と異なっている。以下に、その相違する構成について、図１８を参照しながら説明する。図１８（ａ）は集合通路領域３４１に設けられた入賞検知センサ３４２の構成を説明するための縦断面図であり、図１８（ｂ）は入賞検知センサ３４２にて遊技球が検知される場合の信号出力の様子を説明するためのタイミングチャートである。
【０２０７】
図１８（ａ）に示すように、入賞検知センサ３４２は、磁気検知タイプの近接センサにて構成されており、厚み方向に貫通するように入賞側貫通孔３４４が形成された箱状のセンサハウジング３４３を備えている。センサハウジング３４３は、合成樹脂製の複数のハウジング部材３４３ａ，３４３ｂを組み合わせることにより形成されている。
【０２０８】
入賞側貫通孔３４４は、その全体に亘って同一方向に延びるように形成されており、その全体に亘って孔の直径が同一又は略同一となっている。この入賞側貫通孔３４４の具体的な内容は、上記第１の実施の形態における入賞検知センサ８６と同様である。
【０２０９】
センサハウジング３４３には、入賞側貫通孔３４４の外周側に沿うようにして検知コイル３４５ａ，３４６ａが内蔵されており、さらには検知コイル３４５ａ，３４６ａの周囲を覆うようにしてコア３４５ｂ，３４６ｂが内蔵されている。コア３４５ｂ，３４６ｂは、フェライトなどにより形成されており、検知コイル３４５ａ，３４６ａの高周波特性を向上させるとともに、磁束を所定方向に集中させる機能を有する。また、センサハウジング３４３には、検知コイル３４５ａ，３４６ａと電気的に接続された発振用コンデンサ、発振回路、検波回路、コンパレータ回路、出力回路及び信号線接続用のコネクタ３４７ａを有するセンサ基板３４７が内蔵されている。
【０２１０】
入賞検知センサ３４２は、集合通路領域３４１の軸線に対して入賞側貫通孔３４４の軸線が同一直線上となるようにして、センサ設置部３４８に設置されている。入賞側貫通孔３４４の直径（すなわち通路幅）は、それよりも上流側の通路幅よりも狭くなっており、正規の遊技球Ｂ１よりも大きいものであって一般入賞口３１への入賞を可能とする不正球Ｂ２の通過を不可とする大きさとなっている。これにより、集合通路領域３４１内に不正球Ｂ２が入り込んだ場合には、当該不正球Ｂ２は、入賞側貫通孔３４４における上流側の開口部の周縁に対して上流側から当接し、それ以上の侵入が防止される。
【０２１１】
ここで、入賞検知センサ３４２には、軸線方向に複数の検知部が存在するように、検知コイル３４５ａ，３４６ａが複数設けられている。具体的には、検知部が２個存在するように、検知コイル３４５ａ，３４６ａは２個設けられている。また、各検知コイル３４５ａ，３４６ａに１対１で対応させてコア３４５ｂ，３４６ｂが複数（具体的には２個）設けられている。つまり、第１検知コイル３４５ａ及び第１コア３４５ｂの組合せにより第１検知部３４５が構成されており、第２検知コイル３４６ａ及び第２コア３４６ｂの組合せにより第２検知部３４６が構成されている。
【０２１２】
以下、一方の検知コイル３４５ａを第１検知コイル３４５ａと言うとともにそれに対応するコア３４５ｂを第１コア３４５ｂと言い、さらに他方の検知コイル３４６ａを第２検知コイル３４６ａと言うとともにそれに対応するコア３４６ｂを第２コア３４６ｂと言う。なお、第１コア３４５ｂ及び第２コア３４６ｂはいずれも、センサハウジング３４３の内部に設けられており、入賞側貫通孔３４４側などに露出しておらず、遊技球Ｂ１などとの接触が防止されている。
【０２１３】
各検知コイル３４５ａ，３４６ａのうち、第１検知コイル３４５ａは、入賞側貫通孔３４４における上記上流側の開口部側に偏倚させて設けられているとともに、第２検知コイル３４６ａは、入賞側貫通孔３４４における下流側の開口部側に偏倚させて設けられている。また、第１コア３４５ｂは、第１検知コイル３４５ａが設けられた位置（第１検知コイル３４５ａにおける軸線方向の下流側端部又はそれよりも上流側の位置）よりも上流側が第１検知コイル３４５ａの検知範囲（以下、第１検知範囲ＤＡ１と言う）となるように形成されている。また、第２コア３４６ｂは、第２検知コイル３４６ａが設けられた位置（第２検知コイル３４６ａにおける軸線方向の上流側端部又はそれよりも下流側の位置）よりも下流側が第２検知コイル３４６ａの検知範囲（以下、第２検知範囲ＤＡ２と言う）となるように形成されている。
【０２１４】
入賞検知センサ３４２は、第１検知範囲ＤＡ１に遊技球Ｂ１が存在しているか否かの信号と、第２検知範囲ＤＡ２に遊技球Ｂ１が存在しているか否かの信号とを、それぞれ個別に主制御装置７１に出力可能となっている。
【０２１５】
詳細には、入賞検知センサ３４２は、第１検知部用信号として、第１検知範囲ＤＡ１に遊技球Ｂ１が存在していない状況では非検知対応信号であるＨＩレベル信号を出力するとともに、第１検知範囲ＤＡ１に遊技球Ｂ１が存在している状況では検知対応信号であるＬＯＷレベル信号を出力する。但し、これに限定されることはなく、第１検知範囲ＤＡ１に遊技球Ｂ１が存在していない状況では非検知対応信号であるＬＯＷレベル信号を出力するとともに、第１検知範囲ＤＡ１に遊技球が存在している状況では検知対応信号であるＨＩレベル信号を出力する構成としてもよい。
【０２１６】
また、入賞検知センサ３４２は、第２検知部用信号として、第２検知範囲ＤＡ２に遊技球Ｂ１が存在していない状況では非検知対応信号であるＨＩレベル信号を出力するとともに、第２検知範囲ＤＡ２に遊技球Ｂ１が存在している状況では検知対応信号であるＬＯＷレベル信号を出力する。但し、これに限定されることはなく、第２検知範囲ＤＡ２に遊技球Ｂ１が存在していない状況では非検知対応信号であるＬＯＷレベル信号を出力するとともに、第２検知範囲ＤＡ２に遊技球が存在している状況では検知対応信号であるＨＩレベル信号を出力する構成としてもよい。
【０２１７】
なお、第１検知範囲ＤＡ１と第２検知範囲ＤＡ２とで遊技球Ｂ１の有無に対するＨＩレベル及びＬＯＷレベルの出力関係が同一である構成に限定されることはなく、逆の出力関係であってもよい。
【０２１８】
第１検知コイル３４５ａ及び第２検知コイル３４６ａは、軸線方向に離間させて配置されており、第１検知範囲ＤＡ１と第２検知範囲ＤＡ２との間には離間範囲ＳＡが存在している。これにより、同一のセンサハウジング３４３内に複数の検知コイル３４５ａ，３４６ａを設けた構成において、両者の干渉が防止されている。但し、離間範囲ＳＡは、遊技球Ｂ１の直径よりも短く設定されており、同一の遊技球Ｂ１が、第１検知範囲ＤＡ１及び第２検知範囲ＤＡ２に同時に含まれる状況が存在するように設定されている。
【０２１９】
このように第１検知コイル３４５ａ及び第２検知コイル３４６ａが設けられていることにより、正規の遊技球Ｂ１が入賞側貫通孔３４４を通過する場合には、図１８（ｂ）に示すように、先ず、ｔ１のタイミングで、第１検知範囲ＤＡ１に対応した信号が検知対応信号となり、次に、第１検知範囲ＤＡ１に対応した信号が検知対応信号となっている状況であるｔ２のタイミングで、第２検知範囲ＤＡ２に対応した信号が検知対応信号となる。その後、両方の検知範囲ＤＡ１，ＤＡ２に対応した信号が検知対応信号となっている状況であるｔ３のタイミングで、第１検知範囲ＤＡ１に対応した信号が非検知対応信号となり、最終的にｔ４のタイミングで、第２検知範囲ＤＡ２に対応した信号が非検知対応信号となる。そして、主制御装置７１では、入賞検知センサ３４２から上記の順序で信号を受信した場合に、遊技球Ｂ１が入賞側貫通孔３４４を通過したと判定する（つまり、一般入賞口３１に遊技球Ｂ１が入賞したと判定する）。これにより、正規の遊技球Ｂ１が入賞側貫通孔３４４を通過する場合には、当該遊技球Ｂ１の検知を正確に行うことが可能となる。
【０２２０】
特に、入賞側貫通孔３４４にて、それよりも上流側に比べて通路幅が狭くなる構成においては、入賞検知センサ３４２における上流側の開口部の周縁に遊技球Ｂ１が当たることで暴れて、チャタリングが発生してしまう可能性が懸念される。これに対して、上記のように複数の検知範囲ＤＡ１，ＤＡ２を設定するとともに、上記の順序で信号出力がなされた場合に遊技球Ｂ１の入賞発生と判定するようにしたことにより、チャタリングの発生を防止することが可能となる。
【０２２１】
なお、上記のように第１検知範囲ＤＡ１、離間範囲ＳＡ及び第２検知範囲ＤＡ２が設定された構成においては、入賞検知センサ３４２において１個の遊技球を検知するトータルの範囲が長くなるが、かかるトータルの範囲は、複数の遊技球が同時に検知対象となることがないように設定されている。この場合に、複数の遊技球が同時に検知対象となることを抑制するための構成として、入賞検知センサ３４２よりも上流側の通路において曲がり部や蛇行部を生じさせることによって遊技球の減圧を行うようにすることで、連続して遊技球が通過する場合の最短距離が、複数の遊技球が同時に検知対象とならない距離となるようにする構成が考えられる。
【０２２２】
第１検知範囲ＤＡ１及び第２検知範囲ＤＡ２についてさらに詳細には、第１検知範囲ＤＡ１には、入賞検知センサ３４２よりも上流側の特定範囲が含まれているとともに、第２検知範囲ＤＡ２には、入賞検知センサ３４２よりも下流側の特定範囲が含まれている。第１検知範囲ＤＡ１が上記のように設定されていることにより、不正球Ｂ２が入賞検知センサ３４２における上流側の開口部の周縁に上流側から載っている場合にはそれを検知することが可能となる。
【０２２３】
また、第２検知範囲ＤＡ２が上記のように設定されていることにより、不正具Ｄを上皿６１ａや下皿６２ａ側から入賞検知センサ３４２の下流側に配置して入賞検知センサ３４２に遊技球Ｂ１の通過を誤検知させようとする行為が行われた場合に、その不正具Ｄを第２検知範囲ＤＡ２に含ませることが可能となる。よって、かかる不正具Ｄが配置されていることを検知することが可能となる。
【０２２４】
次に、主側ＭＰＵ９２にて実行される監視処理について、図１９のフローチャートを参照しながら説明する。なお、監視処理は、比較的短い周期（例えば２ｍｓｅｃ）で繰り返し起動される。
【０２２５】
監視処理では、第１検知部３４５に係る監視処理をステップＳ１０１〜ステップＳ１０８にて実行するとともに、第２検知部３４６に係る監視処理をステップＳ１０９〜ステップＳ１１６にて実行する。
【０２２６】
第１検知部３４５に係る監視処理では、先ずステップＳ１０１にて、第１検知部３４５がＯＮとなっているか否かを判定する。つまり、入賞検知センサ３４２からの第１検知部３４５に係る信号の出力状態が検知対応信号となっているか否かを判定する。ステップＳ１０１にて肯定判定をした場合には、ステップＳ１０２にて、主側ＲＷＭ９４に設けられた第１検知タイマカウンタの数値情報を１加算する。第１検知タイマカウンタは、第１検知部３４５が継続してＯＮとなっている期間を計測するためのものである。その後、ステップＳ１０３にて、第１検知タイマカウンタの数値情報が、第１異常基準期間に対応した数値情報以上となっているか否かを判定する。具体的には、２０以上となっているか否かを判定する。
【０２２７】
ステップＳ１０３にて否定判定をした場合には、ステップＳ１０４にて、第１検知タイマカウンタの数値情報が、第１検知基準期間に対応した数値情報以上となっているか否かを判定する。具体的には、２以上となっているか否かを判定する。また、ステップＳ１０５にて、主側ＲＷＭ９４に設けられた第１検知フラグに「１」がセットされているか否かを判定する。
【０２２８】
ステップＳ１０４にて肯定判定をするとともに、ステップＳ１０５にて否定判定をした場合には、ステップＳ１０６にて第１検知フラグに「１」をセットした後に、第２検知部３４６に係る監視処理に進む。ステップＳ１０４にて否定判定をした場合又はステップＳ１０５にて肯定判定をした場合には、ステップＳ１０６の処理を実行することなく、第２検知部３４６に係る監視処理に進む。
【０２２９】
一方、ステップＳ１０３にて肯定判定をした場合、すなわち第１検知部３４５がＯＮとなっている状態が、第１検知基準期間を超えて第１異常基準期間に達している場合には、ステップＳ１０７にて、主側ＲＷＭ９４に設けられた第１異常フラグに「１」をセットした後に、第２検知部３４６に係る監視処理に進む。これにより、主側ＭＰＵ９２は、監視処理とは異なる処理にて、第１異常用の処理を実行する。
【０２３０】
当該第１異常用の処理としては、例えば、その後の遊技球の払出を禁止する処理や、その後の遊技球の発射を禁止する処理といったように、その後の正常な遊技の進行を規制する処理が考えられる。また、かかる処理に代えて又は加えて、第１異常報知用処理を実行する構成としてもよい。第１異常報知用処理としては、音声発光制御装置７２に第１異常コマンドを出力することにより、エラーランプ部５８ｂやスピーカ部５９を通じて第１異常報知を行う構成や、それに代えて又は加えて、表示制御装置１２１に所定のコマンドが出力されるようにすることにより図柄表示装置４１にて第１異常報知を行う構成が考えられる。この場合、第１検知部３４５における検知結果が異常であることを示す内容で第１異常報知が行われる構成としてもよい。また、当該報知に代えて又は加えて、遊技ホールの管理コンピュータに上記異常が発生したことを示す外部出力を行う構成としてもよい。
【０２３１】
第１検知部３４５に係る監視処理の説明に戻り、ステップＳ１０１にて否定判定をした場合には、ステップＳ１０８にて、第１検知タイマカウンタを初期化するとともに、第１検知フラグを初期化した後に、第２検知部３４６に係る監視処理に進む。
【０２３２】
第２検知部３４６に係る監視処理では、先ずステップＳ１０９にて、第２検知部３４６がＯＮとなっているか否かを判定する。つまり、入賞検知センサ３４２からの第２検知部３４６に係る信号の出力状態が検知対応信号となっているか否かを判定する。ステップＳ１０９にて肯定判定をした場合には、ステップＳ１１０にて、主側ＲＷＭ９４に設けられた第２検知タイマカウンタの数値情報を１加算する。第２検知タイマカウンタは、第２検知部３４６が継続してＯＮとなっている期間を計測するためのものである。その後、ステップＳ１１１にて、第２検知タイマカウンタの数値情報が、第２異常基準期間に対応した数値情報以上となっているか否かを判定する。具体的には、２０以上となっているか否かを判定する。
【０２３３】
ステップＳ１１１にて否定判定をした場合には、ステップＳ１１２にて、第２検知タイマカウンタの数値情報が、第２検知基準期間に対応した数値情報以上となっているか否かを判定する。具体的には、２以上となっているか否かを判定する。また、ステップＳ１１３にて、主側ＲＷＭ９４に設けられた第２検知フラグに「１」がセットされているか否かを判定する。
【０２３４】
ステップＳ１１２にて肯定判定をするとともに、ステップＳ１１３にて否定判定をした場合には、ステップＳ１１４にて第２検知フラグに「１」をセットした後に、本監視処理を終了する。ステップＳ１１２にて否定判定をした場合又はステップＳ１１３にて肯定判定をした場合には、ステップＳ１１４の処理を実行することなく本監視処理を終了する。
【０２３５】
一方、ステップＳ１１１にて肯定判定をした場合、すなわち第２検知部３４６がＯＮとなっている状態が、第２検知基準期間を超えて第２異常基準期間に達している場合には、ステップＳ１１５にて、主側ＲＷＭ９４に設けられた第２異常フラグに「１」をセットした後に、本監視処理を終了する。これにより、主側ＭＰＵ９２は、監視処理とは異なる処理にて、第２異常用の処理を実行する。
【０２３６】
当該第２異常用の処理としては、例えば、その後の遊技球の払出を禁止する処理や、その後の遊技球の発射を禁止する処理といったように、その後の正常な遊技の進行を規制する処理が考えられる。また、かかる処理に代えて又は加えて、第２異常報知用処理を実行する構成としてもよい。第２異常報知用処理としては、音声発光制御装置７２に第２異常コマンドを出力することにより、エラーランプ部５８ｂやスピーカ部５９を通じて第２異常報知を行う構成や、それに代えて又は加えて、表示制御装置１２１に所定のコマンドが出力されるようにすることにより図柄表示装置４１にて第２異常報知を行う構成が考えられる。この場合、第２検知部３４６における検知結果が異常であることを示す内容で第２異常報知が行われる構成としてもよい。また、当該報知に代えて又は加えて、遊技ホールの管理コンピュータに上記異常が発生したことを示す外部出力を行う構成としてもよい。
【０２３７】
第２検知部３４６に係る監視処理の説明に戻り、ステップＳ１０９にて否定判定をした場合には、ステップＳ１１６にて、第２検知タイマカウンタを初期化するとともに、第２検知フラグを初期化した後に、本監視処理を終了する。
【０２３８】
なお、主側ＭＰＵ９２は、上記監視処理とは異なる処理にて、第１検知フラグ及び第２検知フラグに「１」がセットされた順序及び消去された順序を把握し、その把握結果が図１８（ｂ）に示した順番に対応している場合に、入賞検知センサ３４２を１個の遊技球が通過したと判定する。
【０２３９】
以上詳述した本実施の形態によれば、以下の優れた効果を奏する。
【０２４０】
入賞検知センサ３４２に第１検知部３４５と第２検知部３４６とを設けたことにより、入賞検知センサ３４２にて不正球Ｂ２を積極的に受け止めるようにした構成において、不正球Ｂ２の存在によって遊技球Ｂ１の通過を誤検知してしまう事象が生じづらくなる。
【０２４１】
また、第１検知部３４５の検知範囲ＤＡ１は、上流側に向けて設定されているため、第１検知部３４５における検知結果を利用して、不正球Ｂ２の存在の有無を主側ＭＰＵ９２にて把握することが可能となる。これにより、不正球Ｂ２が存在している場合には、パチンコ機１０にてそれに対処することが可能となる。
【０２４２】
また、第１検知部３４５の検知範囲ＤＡ１が上流側に向けて設定された構成においては、チャタリングの発生が懸念されるが、第２検知部３４６の検知範囲ＤＡ２が下流側に向けて設定されているため、それを阻止することが可能となる。
【０２４３】
また、１個の入賞検知センサ３４２に第１検知部３４５と第２検知部３４６とが集約されていることにより、部材点数の削減が図られるとともに、第１検知部３４５と第２検知部３４６とを個別に設置する構成に比べ、入賞検知センサ３４２の設置作業の容易化が図られる。
【０２４４】
また、上記のとおり、第１検知部３４５の検知範囲ＤＡ１は上流側に向けて設定されているとともに、第２検知部３４６の検知範囲ＤＡ２は下流側に向けて設定されていることにより、入賞検知センサ３４２の厚み寸法を抑えながら、複数の検知範囲ＤＡ１，ＤＡ２を設定することが可能となる。
【０２４５】
なお、目視確認の容易化を図るべく、集合通路領域３４１を区画形成する通路形成部材を、透明性を有するように形成してもよい。また、不正球Ｂ２の取り外しを可能とするように、上記第１の実施の形態と同様に、通路形成部材の一部の開放操作に伴って、不正球Ｂ２の取り外しを可能とする開口が生じる構成としてもよい。
【０２４６】
＜第１０の実施の形態＞
本実施の形態では、上記第９の実施の形態に対して、不正球を受けるための構成及び各検知部における検知範囲が異なっている。以下、その相違する構成について、図２０を参照しながら説明する。図２０は集合通路領域３５１の通路構成及び入賞検知センサ３５２の構成を説明するための縦断面図である。
【０２４７】
図２０に示すように、入賞検知センサ３５２は、上記第９の実施の形態における入賞検知センサ３４２と同様に、入賞側貫通孔３５４が形成された箱状のセンサハウジング３５３内に、２個の検知コイル３５５ａ，３５６ａが設けられているとともに、それら検知コイル３５５ａ，３５６ａに１対１で対応させて２個のコア３５５ｂ，３５６ｂが設けられている。そして、第１検知コイル３５５ａと第１コア３５５ｂとの組合せにより第１検知部３５５が構成されているとともに、第２検知コイル３５６ａと第２コア３５６ｂとの組合せにより第２検知部３５６が構成されている。
【０２４８】
第１検知部３５５は入賞検知センサ３５２において上流側の開口部側に偏倚させて設けられているとともに、第２検知部３５６は入賞検知センサ３５２において下流側の開口部側に偏倚させて設けられている。また、第１検知部３５５による第１検知範囲ＤＡ３は上流側に向けて設定されているとともに、第２検知部３５６による第２検知範囲ＤＡ４は下流側に向けて設定されており、さらに第１検知範囲ＤＡ３と第２検知範囲ＤＡ４とは相互の干渉が生じないように、離間領域ＳＡに亘って離間されている。
【０２４９】
集合通路領域３５１において入賞検知センサ３５２よりも上流側には、それよりも上流側に比べて通路幅が狭くなった幅狭領域３５７が形成されている。幅狭領域３５７の通路幅は、正規の遊技球Ｂ１の通過は可能であるが、当該遊技球Ｂ１よりも大きいものであって一般入賞口３１への入賞を可能とする不正球Ｂ２の通過を不可とする大きさに設定されている。これにより、不正球Ｂ２は、幅狭領域３５７の最上流部を構成する段差部３５７ａに対して上流側から当接することで、それ以上の侵入が阻止される。
【０２５０】
なお、幅狭領域３５７は、横断面（すなわち通路方向に対して直交する方向の断面）が円形となるように形成されており、その直径は入賞側貫通孔３５４の直径と同一であるとともに当該入賞側貫通孔３５４と同一軸線上に存在するように形成されている。そして、幅狭領域３５７は入賞側貫通孔３５４に連続している。これにより、入賞検知センサ３５２よりも上流側に必要以上の段差が生じないようになっている。
【０２５１】
幅狭領域３５７の上記段差部３５７ａの位置は、入賞検知センサ３５２における第１検知部３５５による第１検知範囲ＤＡ３に含まれている。これにより、不正球Ｂ２が存在している場合には、それを入賞検知センサ３５２により検知することが可能となる。
【０２５２】
また、入賞検知センサ３５２における第２検知部３５６による第２検知範囲ＤＡ４は、その通路方向の広さが、第１検知部３５５による第１検知範囲ＤＡ３よりも狭くなっている。これにより、入賞検知センサ３５２におけるトータルの検知範囲を狭くすることが可能となり、複数の遊技球が同時に検知対象となることが抑制される。
【０２５３】
なお、入賞検知センサ３５２を利用した正規の遊技球Ｂ１の検知態様、及び監視処理の処理構成は上記第９の実施の形態と同様である。
【０２５４】
（上記第９の実施の形態及び上記第１０の実施の形態についての別形態）
・第１検知部３４５，３５５及び第２検知部３４６，３５６の検知方式は、磁気検知方式に限定されることはなく、光学式であってもよく、接触式であってもよい。この場合であっても、第１検知部３４５，３５５の第１検知範囲を上流側に向けて設定することで、入賞検知センサ３４２，３５２の設置領域をコンパクトなものとすることが可能となる。また、不正球Ｂ２の検知を良好に行うことが可能となる。さらにまた、第１検知部３４５，３５５の第１検知範囲を上流側に向けて設定するだけでなく、第２検知部３４６，３５６の第２検知範囲を下流側に向けて設定することで、さらなるコンパクト化が図られる。
【０２５５】
・第１検知部３４５，３５５の第１検知範囲は上流側に向けて設定しながら、第２検知部３４６，３５６の第２検知範囲は上流側及び下流側のそれぞれに対して均等又は上流側に向けて設定する構成としてもよい。この場合であっても、第１検知部３４５，３５５の第１検知範囲を下流側に向けて設定する構成に比べて、入賞検知センサ３４２，３５２の設置領域をコンパクトなものとすることが可能となる。
【０２５６】
・第１検知部３４５，３５５の第１検知範囲に第１検知コイル３４５ａ，３５５ａよりも下流側が含まれる構成としてもよい。この場合であっても、第１検知コイル３４５ａ，３５５ａを基準として、下流側に比べて上流側の検知範囲の方が広い構成とすることで、入賞検知センサ３４２，３５２の設置領域をコンパクトなものとすることが可能となる。
【０２５７】
・第２検知部３４６，３５６の第２検知範囲に第２検知コイル３４６ａ，３５６ａよりも上流側が含まれる構成としてもよい。この場合であっても、第２検知コイル３４６ａ，３５６ａを基準として、上流側に比べて下流側の検知範囲の方が広い構成とすることで、入賞検知センサ３４２，３５２の設置領域をコンパクトなものとすることが可能となる。
【０２５８】
・上記第９の実施の形態において、センサハウジング３４３の最上流部が第１検知部３４５よりも上流側に存在している構成においては、第１検知範囲にセンサハウジング３４３よりも上流側が含まれない構成としてもよい。この場合に、センサハウジング３４３にて不正球Ｂ２を積極的に受け止める構成においては、当該受け止める箇所が第１検知範囲に含まれるようにすることが好ましい。なお、センサハウジング３４３において不正球Ｂ２を積極的に受け止める箇所は、センサハウジング３４３における上流側の開口部の周縁である必要はなく、入賞側貫通孔３４４の軸線方向の途中位置であってもよい。
【０２５９】
・第１検知部３４５，３５５での検知結果は、遊技球の入賞判定に寄与することなく、第２検知部３４６，３５６の検知結果のみが遊技球の入賞判定に寄与する構成としてもよい。この場合、入賞検知センサ３４２，３５２には、入賞判定を行うための検知部に加えて、不正球Ｂ２が存在しているか否かを検知するための検知部が別途設けられた構成となる。
【０２６０】
・第２検知部３４６，３５６の第２検知範囲には、センサハウジング３４３，３５３よりも下流側が含まれない構成としてもよい。この場合、トータルの検知範囲を狭くすることが可能となり、複数の遊技球が同時に検知対象となる可能性が低減される。
【０２６１】
・第１検知部３４５，３５５の第１検知範囲の方が第２検知部３４６，３５６の第２検知範囲よりも狭い構成としてもよい。
【０２６２】
・第１検知部３４５，３５５と第２検知部３４６，３５６との間に、第３検知範囲を生じさせる第３検知部や、第４検知範囲を生じさせる第４検知部が設けられている構成としてもよい。この場合において、入賞検知センサ３４２，３５２の設置領域をコンパクトなものとする上では、第３検知範囲及び第４検知範囲は、対応する検知部を基準として、上流側及び下流側に均等であることが好ましい。
【０２６３】
・センサの設置領域をコンパクトなものとすることが可能となるという効果に着目した場合、第１検知部及び第２検知部を備えた構成において第１検知部の検知範囲を上流側に向けて設定する構成や、第１検知部の検知範囲を上流側に向けて設定するとともに第２検知部の検知範囲を下流側に向けて設定する構成を、遊技球の入賞を検知するためのセンサではなく、払出装置７７において遊技球の払出を検知するためのセンサなどに適用してもよく、パチンコ機１０ではなく所謂スロットマシンにおいてメダル投入口から投入されたメダルを検知するためのセンサに適用してもよく、当該スロットマシンにおけるメダルの払出を検知するためのセンサに適用してもよい。
【０２６４】
＜他の実施の形態＞
なお、上述した各実施の形態の記載内容に限定されず、本発明の趣旨を逸脱しない範囲内で種々の変形改良が可能である。例えば以下のように変更してもよい。ちなみに、以下の別形態の構成を、上記各実施の形態の構成に対して、個別に適用してもよく、組み合わせて適用してもよい。
【０２６５】
（１）入賞検知センサ８６は磁気検知式のセンサに限定されることはなく、光学式センサ又は接触式のセンサであってもよい。この場合であっても、遊技球よりも大きい不正球を入賞側貫通孔１３６の位置に停留させるとともに、例えば入賞検知センサ８６と主制御装置７１との間の信号経路上に不正を行う、又はその停留させた不正球を通路方向に往復動させることで、遊技球の払い出しを不正に継続させる行為が想定される。したがって、上記各実施の形態のような不正対策の構成を適用することが好ましい。
【０２６６】
（２）遊技球よりも大きい不正球を利用した行為は、一般入賞口３１に対応した入賞検知センサ８６に限定されることはなく、例えば可変入賞装置３２に対応した可変入賞用の入賞検知センサ８５ａや、上作動口３３に対応した上作動用の入賞検知センサ８５ｂや、下作動口３４に対応した下作動用の入賞検知センサ８５ｃに対しても想定される。したがって、これらの入賞検知センサ８５ａ〜８５ｃに対する不正対策として、上記各実施の形態の構成を適用してもよい。但し、一般入賞口３１は、内部抽選の契機となる上作動口３３及び下作動口３４や、開閉実行モードにおいて開放状態となる可変入賞装置３２に比べて、他の不正対策を施しづらい。したがって、一般入賞口３１に対して上記各実施の形態の不正対策を適用することが好ましい。
【０２６７】
（３）上記第１〜第３の実施の形態において、集合通路領域８８，１６１，１７１が鉛直方向に延びている構成に限定されることはなく、所定方向に傾斜している構成としてもよい。この場合であっても、上記第１〜第３の実施の形態における不正対策に係る構成を適用することで、不正球Ｂ２を利用した不正に対処することが可能となる。
【０２６８】
（４）内レール部４８と外レール部４９とにより規定される誘導レールにおいて、不正球Ｂ２の侵入を規制する構成としてもよい。例えば、誘導レールの通路幅を不正球Ｂ２が通過不可である通路幅に設定する。この場合、発射されたものの通過が阻止された不正球Ｂ２はファール球通路にて回収されることとなるが、このファール球通路において不正球Ｂ２を停留させる構成を付与してもよい。
【０２６９】
（５）所定のハウジングに遊技球を導入する入口部と、当該入口部から流入した遊技球が入球可能であってその入球が特別遊技状態への移行の契機となる有利口と、入口部から流入した遊技球が入球可能であって有利口に入球しなかった遊技球をハウジングから排出する排出口と、入口部から流入した遊技球を有利口及び排出口のいずれかに振り分ける振分構造とを有する入賞装置が遊技領域に設けられた構成において、有利口に入賞した遊技球を検知するための検知センサの検知領域に不正球Ｂ２を停留させる行為を抑制するために、上記各実施の形態のような不正対策を採用してもよい。例えば、上記第１の実施の形態のような幅狭領域１３１の構成を、上記入口部から続く通路の途中位置に設ける構成としてもよく、上記有利口から続く通路であって上記検知センサよりも上流側の位置に設ける構成としてもよい。
【０２７０】
（６）上記各実施の形態における不正球Ｂ２への不正対策に係る構成を所定の組合せで有する構成としてもよい。例えば、第１〜第７の実施の形態のいずれかにおける不正対策に係る構成と、第４〜第６の実施の形態のいずれかにおける不正対策に係る構成との組合せを有するようにしてもよい。
【０２７１】
（７）遊技回用の演出が実行される装置は、図柄表示装置４１に限定されることはなく、可動式に設けられた装飾部材が動作することで遊技回用の演出が実行される構成としてもよく、所定の発光部を点灯させることで遊技回用の演出が実行される構成としてもよく、上記各態様の全部又は一部の組み合わせによって遊技回用の演出が実行される構成としてもよい。
【０２７２】
（８）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２７３】
＜上記各実施の形態から抽出される発明群について＞
以下、上述した各実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【０２７４】
なお、下記の各特徴群に記載された発明は、「遊技機の一種であるパチンコ機は、遊技球が流下する遊技領域に、当該遊技領域を流下する遊技球が入球可能な入球部を備えている。そして、当該入球部への遊技球の入球に基づいて遊技者に特典が付与される（例えば特許文献１参照）。具体的には、入球部から続くとともに当該入球部に入球した遊技球を遊技ホールの島設備に導くための案内通路を備えており、当該案内通路の途中位置に検知用通過部が存在するようにして検知手段が設けられている。この検知用通過部は、遊技球が１個ずつ通過するようにその通路断面の大きさが設定されている。検知手段は、例えば検知用通過部を遊技球が通過したことによる磁界の変化を電気信号に変換して、制御装置側に向けて出力する。制御装置ではその入力結果に基づいて特典を付与するための処理を実行する。上記信号の出力態様として、例えば常にはＬＯＷレベル信号を出力するとともに遊技球が存在する場合にＨＩレベル信号を出力する構成が考えられる。この場合、制御装置ではＬＯＷレベル信号からＨＩレベル信号への立ち上がりが発生したこと、又はＨＩレベル信号からＬＯＷレベル信号への立下りが発生したことを特定することで、１個の遊技球が上記入球部に入球したと判定する。また、例えば常にはＨＩレベル信号を出力するとともに遊技球が存在する場合にＬＯＷレベル信号を出力する構成が考えられる。この場合、制御装置ではＨＩレベル信号からＬＯＷレベル信号への立下りが発生したこと、又はＬＯＷレベル信号からＨＩレベル信号への立ち上がりが発生したことを特定することで、１個の遊技球が上記入球部に入球したと判定する。」という背景技術について、「ここで、本件発明者は、上記検知用通過部の通過は不可である一方、その手前までの侵入を可能とするような大きさの不正具（例えば不正球）を入球部内に入れるとともに、その状態にて当該不正具が直接操作される、又は遊技機外部からさらなる不正行為が行われると、入球部への入球に対応した特典の付与が継続されてしまう可能性があることに思い至った。つまり、案内通路においては検知用通過部の位置にてそれよりも上流側に比べて通路断面が狭くなっている構成が考えられ、当該構成においては正規の遊技球よりも若干大きい不正具を入球部に入れると、検知用通過部における幅狭箇所に不正具が嵌り込むこととなる。そして、例えば、検知手段が、磁気検知式であって、常にはＬＯＷレベル信号を出力するとともに遊技球が存在する場合にＨＩレベル信号を出力する構成においては、上記のように不正具が嵌り込むと、検知手段はＨＩレベル信号（検知対応信号）を出力し続けることとなる。この状態において、パチンコ機前方などから不正な磁界を発生させると、上記のようにＨＩレベル信号の出力が継続されている状況において、ＬＯＷレベル信号の断続的な出力が行われる。そうすると、制御装置では入球部への入球が繰り返されていると誤認してしまい、不正に基づく特典の付与が継続されてしまうこととなる。なお、上記問題は、検知手段として、磁気検知式のものが用いられている場合に限られることはなく、光学式のものや接触式のものが用いられている場合であっても生じ得る問題である。」という発明が解決しようとする課題をもってなされたものである。
【０２７５】
＜特徴Ａ群＞
特徴Ａ１．遊技球が流下する遊技領域に設けられ、当該遊技領域を流下する遊技球が入球可能な入球部（一般入賞口３１）と、
当該入球部に入球した遊技球を所定の方向に案内する案内通路（集合回収通路８３）と、
当該案内通路に設定されているとともに１個の遊技球の通過は可能であるが通路方向に直交する方向に複数の遊技球が並んだ状態での通過は不可とする検知用通過部（入賞側貫通孔１３６）を有し、当該検知用通過部の遊技球の通過を検知する通過検知手段（入賞検知センサ８６）と、
当該通過検知手段にて遊技球の通過が検知されたことに基づいて、所定の特典を付与する特典付与手段（主側ＭＰＵ９２、払出側ＭＰＵ１０２及び払出装置７７）と、
を備え、
前記検知用通過部よりも遊技球の移動方向の元側に、当該検知用通過部に到達するために通過する必要がある元側通路領域（第１の実施の形態では集合通路領域８８、第２の実施の形態では集合通路領域１６１、第３の実施の形態では集合通路領域１７１、第４の実施の形態では予備整列部１８１、第５の実施の形態では予備整列部１９１、第６の実施の形態では球送り通路２０１）を備え、
当該元側通路領域は、前記遊技球よりも大きい不正具であって、前記入球部への入球は可能であるが前記検知用通過部の通過は不可とする大きさの不正具（不正球Ｂ２）の前記検知用通過部に向けた流入を規制する規制手段（第１の実施の形態では幅狭領域１３１、第２の実施の形態では誘導部材１６６、第３の実施の形態では誘導部材１７６、第４の実施の形態では予備整列部１８１の通路壁面、第５の実施の形態では予備整列部１９１の通路壁面１９２，１９３及び上皿６１ａの出口、第６の実施の形態では供給部材２０２及び球送り駆動部２０３）を備えていることを特徴とする遊技機。
【０２７６】
特徴Ａ１によれば、遊技球よりも大きい不正具を検知用通過部の位置に停留させることに基づき特典の付与を不正に継続させようとしても、不正具の検知用通過部に向けた流入が規制される。これにより、上記不正行為を抑制することが可能となる。
【０２７７】
特徴Ａ２．前記規制手段は、前記遊技球の通過は可能としながら前記不正具の通過を不可とする大きさの通路断面を有する規制用通過部（第１の実施の形態では段差部１４３、第２の実施の形態では分岐開始領域１６５、第３の実施の形態ではアーム部１７８，１７９間の開口、第４の実施の形態では予備整列部１８１の入口部分、第５の実施の形態では上皿６１ａの出口、第６の実施の形態では供給部材２０２）を備えていることを特徴とする特徴Ａ１に記載の遊技機。
【０２７８】
特徴Ａ２によれば、通路形状を利用して不正具の検知用通過部に向けた流入が規制されるため、構成の簡素化を図りつつ、遊技球よりも大きい不正具を利用した不正行為を抑制することが可能となる。
【０２７９】
特徴Ａ３．前記元側通路領域及び前記規制用通過部は前記案内通路に形成されており、
当該案内通路において前記入球部から前記規制用通過部側へと続く所定範囲（第１の実施の形態では上流領域１３２、第２の実施の形態では上流通路領域１６２、第３の実施の形態では上流通路領域１７２）は、通路断面の大きさが当該規制用通過部よりも拡張されていることを特徴とする特徴Ａ２に記載の遊技機。
【０２８０】
特徴Ａ３によれば、入球部への遊技球の入球頻度が極端に低下してしまうことを抑えながら、規制用通過部を設けることができる。
【０２８１】
特徴Ａ４．前記元側通路領域及び前記規制用通過部は前記案内通路に形成されており、
当該案内通路において前記規制用通過部よりも下流側であって前記検知用通過部に対してその上流側にて連続する所定範囲（第１の実施の形態では下流領域１３３、第２の実施の形態では正規球用の分岐領域１６４、第３の実施の形態では正規球用の分岐領域１７３）は、通路断面の大きさが前記規制用通過部よりも拡張されていることを特徴とする特徴Ａ２又はＡ３に記載の遊技機。
【０２８２】
正規の遊技球も規制用通過部を通過することとなるため、遊技球の動きの自由度が低下し、当該遊技球が検知用通過部を通過しようとする際に球詰まりが生じてしまうことが懸念される。これに対して、特徴Ａ４によれば、案内通路において規制用通過部よりも下流側であって検知用通過部に対してその上流側にて連続する所定範囲は、通路断面の大きさが規制用通過部よりも拡張されているため、検知用通過部において遊技球の球詰まりが発生してしまう可能性が低減される。
【０２８３】
特徴Ａ５．前記規制用通過部によりそれよりも下流側への通過が規制されている不正具を検知することが可能であるとともに当該不正具を検知している場合には検知状態となる停留検知手段（第１の実施の形態では停留検知センサ１４５、第４の実施の形態では停留検知センサ１８２、第５の実施の形態では不正球検知センサ１９４）と、
当該停留検知手段が前記検知状態となっていることに基づいて予め定められた異常処理を実行する異常処理実行手段（主側ＭＰＵ９２における不正球用処理を実行する機能）と、
を備えていることを特徴とする特徴Ａ２乃至Ａ４のいずれか１に記載の遊技機。
【０２８４】
特徴Ａ５によれば、規制用通過部の位置に不正具が留まっている場合にはそれに対して異常処理が実行されるため、不正具を利用した不正行為が行われようとした場合にはそれに対して迅速に対処することが可能となる。
【０２８５】
特徴Ａ６．前記停留検知手段は、前記遊技球が前記規制用通過部を通過する場合であっても前記検知状態となるものであり、
前記異常処理実行手段は、前記停留検知手段が前記検知状態となっている期間が、前記停留検知手段の検知範囲を前記遊技球が通過するのに要する期間よりも長い予め定められた基準期間となった場合に、前記異常処理を実行するものであることを特徴とする特徴Ａ５に記載の遊技機。
【０２８６】
特徴Ａ６によれば、停留検知手段として、不正具だけでなく遊技球が通過する場合も検知状態となるものを選択することが可能であるため、停留検知手段の選択の自由度が高められる。そして、このような停留検知手段を利用した構成であっても、当該停留検知手段が検知状態となっている期間が、当該停留検知手段の検知範囲を遊技球が通過するのに要する期間よりも長い基準期間となった場合に異常処理が実行される。したがって、正規の遊技球が通過している場合にまで異常処理が実行されてしまうことが抑制され、異常処理を適切に実行することが可能となる。
【０２８７】
特徴Ａ７．前記元側通路領域及び前記規制用通過部は、前記入球部よりも遊技球の前記移動方向の元側に設けられていることを特徴とする特徴Ａ２乃至Ａ６のいずれか１に記載の遊技機。
【０２８８】
入球部よりも遊技球の移動方向の先側に規制用通過部が設けられている構成においては、当該規制用通過部の位置にて不正具が停留した場合には、遊技ホールの管理者がその不正具を取り出す際の作業が煩雑なものとなってしまう。これに対して、特徴Ａ７によれば、入球部よりも遊技球の移動方向の元側に規制用通過部が設けられているため、遊技ホールの管理者にとっては停留している不正具へのアクセスを容易に行うことが可能となり、遊技ホールの管理者が不正具を取り出す場合の作業性が向上する。
【０２８９】
特徴Ａ８．前記遊技領域に向けて遊技球を発射する発射手段（遊技球発射機構５１）と、
遊技機前面に設けられ、遊技球を貯留するとともに前記発射手段に向けてその貯留している遊技球を誘導する球受け皿（上皿６１ａ）と、
を備え、
当該球受け皿の底面は、前記発射手段に向けて遊技球を導出するための出口に向けて下り傾斜しており、さらに当該球受け皿は、前記出口に向けて前記下り傾斜方向に遊技球を１列で整列させる予備整列部（第４の実施の形態における予備整列部１８１、第５の実施の形態における予備整列部１９１）を備えており、
前記元側通路領域及び前記規制用通過部は、前記予備整列部に形成されていることを特徴とする特徴Ａ７に記載の遊技機。
【０２９０】
予備整列部が球受け皿の底面に設けられていることにより、球受け皿から発射手段への遊技球の供給が良好に行われる。この場合に特徴Ａ８によれば、予備整列部に規制用通過部が設けられているため、規制用通過部の位置にて不正具が停留した場合には、遊技ホールの管理者は遊技機の開放操作を要することなく当該不正具を取り出すことが可能となる。
【０２９１】
特徴Ａ９．遊技機前面に設けられ、遊技球を貯留する球受け皿（上皿６１ａ）と、
当該球受け皿から供給された遊技球を発射レール（発射レール５２）上に配置する球送り手段（球送り装置５３）と、
前記発射レール上に配置された遊技球を前記遊技領域に向けて発射する発射実行手段（ソレノイド５４）と、
を備え、
前記規制用通過部は、前記球受け皿から前記発射レールへの供給経路（球送り通路２０１）に設けられているとともに、当該供給経路においてその経路方向を変化させる曲がり部よりも下流側の位置に設けられていることを特徴とする特徴Ａ７に記載の遊技機。
【０２９２】
球受け皿から発射レールへの供給経路に規制用通過部が設けられた構成においては、球受け皿に貯留されている遊技球を下流側に向けて押し込むことで、その球圧を利用して、不正具の規制用通過部の通過を行わせる行為が想定される。これに対して、特徴Ａ９によれば、上記供給経路においてその経路方向を変化させる曲がり部よりも下流側の位置に設けられているため、球受け皿に貯留されている遊技球を下流側に向けて押し込んだとしても、その球圧が不正具に伝わりづらくなる。よって、上記のような行為に対する耐性が高められる。
【０２９３】
特徴Ａ１０．前記通過検知手段は、前記検知用通過部における磁界を検知することによって、当該検知用通過部の遊技球の通過を検知するものであって、所定の検知可能範囲を有しており、
前記規制手段において前記不正具の流入を規制する位置は、当該規制用通過部において前記不正具が停留された場合に前記検知用通過部における磁界を正規の遊技球が通過した場合と同様のものとする位置よりも遊技球の移動方向の元側の位置となるように設定されていることを特徴とする特徴Ａ１乃至Ａ９のいずれか１に記載の遊技機。
【０２９４】
特徴Ａ１０によれば、不正具を遊技機内に流入させる行為が行われた場合において、当該不正具を検知用通過部の位置に停留させないようにするだけでなく、当該不正具の流入に対して通過検知手段において誤検知が一切生じないようにすることが可能となる。
【０２９５】
特徴Ａ１１．前記案内通路は、途中位置にて分岐させて設けられた第１分岐通路領域（第２の実施の形態における正規球用の分岐領域１６４、第３の実施の形態における正規球用の分岐領域１７３）と第２分岐通路領域（第２の実施の形態における不正球用の分岐領域１６３、第３の実施の形態における不正球用の分岐領域１７４）とを備えており、前記通過検知手段は、前記第１分岐通路領域に対して設けられており、
前記規制手段は、前記第１分岐通路領域及び前記第２分岐通路領域への分岐が行われる箇所に設けられ、上流側から当該分岐箇所に流入してきた前記遊技球を前記第１分岐通路領域に誘導する一方、上流側から前記分岐箇所に流入してきた前記不正具を前記第２分岐通路領域に誘導する誘導部材（第２の実施の形態における誘導部材１６６、第３の実施の形態における誘導部材１７６）を備えていることを特徴とする特徴Ａ１乃至Ａ１０のいずれか１に記載の遊技機。
【０２９６】
特徴Ａ１１によれば、不正具が遊技機内に流入されたとしても、当該不正具は遊技球の移動経路上から排除される。これにより、不正行為者が不正具を遊技機内に流入させる行為を行った後であっても、正規の遊技者に遊技を行わせることが可能となる。
【０２９７】
特徴Ａ１２．前記誘導部材を初期位置に向けて付勢する付勢手段（第２の実施の形態における付勢部材１６８）を備え、
前記誘導部材は、前記初期位置に配置されている状態において前記上流側から前記遊技球又は前記不正具が流入してきた場合、その流下してきたものに対して下流側から当接し、その流下してきたものの重量により下流側へと変位可能な構成であり、
前記付勢手段の付勢力は、前記上流側から前記遊技球が流下してきた場合にはその遊技球を前記第１分岐通路領域に誘導する位置に前記誘導部材が配置され、前記上流側から前記不正具が流入してきた場合には前記第１分岐通路領域に誘導する位置よりも下流側に向けて変位してその不正具を前記第２分岐通路領域に誘導する位置に前記誘導部材が配置されるように設定されていることを特徴とする特徴Ａ１１に記載の遊技機。
【０２９８】
特徴Ａ１２によれば、付勢手段の付勢力を調整するだけで、遊技球と不正具との振分を行うことが可能となる。
【０２９９】
特徴Ａ１３．前記第１分岐通路領域は、前記分岐箇所よりも上流側の通路領域の延長先に設けられているとともに、前記第２分岐通路領域は、それら上流側の通路領域及び前記第１分岐通路領域の流れから分岐するようにして設けられており、
前記誘導部材は、
前記上流側の通路領域及び前記第１分岐通路領域の流れ方向に貫通するとともに前記遊技球の通過は可能とするが前記不正具の通過は不可とする大きさに形成された開口部（第３の実施の形態におけるアーム部１７８，１７９間の開口）と、
前記上流側の通路領域側を臨む面に形成され、前記不正具をその自重により前記第２分岐通路領域に向けて誘導する傾斜面（第３の実施の形態における上面１７６ａ）と、
を備えていることを特徴とする特徴Ａ１１に記載の遊技機。
【０３００】
特徴Ａ１３によれば、誘導部材を可動式に設ける必要がないため、当該誘導部材の構成の簡素化が図られる。
【０３０１】
特徴Ａ１４．遊技球が流下する遊技領域に設けられ、当該遊技領域を流下する遊技球が入球可能な入球部（一般入賞口３１）と、
当該入球部に入球した遊技球を所定の方向に案内する案内通路（集合回収通路８３）と、
当該案内通路に設定されているとともに１個の遊技球の通過は可能であるが通路方向に直交する方向に複数の遊技球が並んだ状態での通過は不可とする検知用通過部（入賞側貫通孔１３６）を有し、当該検知用通過部の遊技球の通過を検知する通過検知手段（入賞検知センサ８６）と、
当該通過検知手段にて遊技球の通過が検知されたことに基づいて、所定の特典を付与する特典付与手段（主側ＭＰＵ９２、払出側ＭＰＵ１０２及び払出装置７７）と、
を備え、
前記検知用通過部よりも遊技球の移動方向の元側に、当該検知用通過部に到達するために通過する必要がある元側通路領域（予備整列部１９１）を備え、
当該元側通路領域には、前記遊技球よりも大きい不正具であって、前記入球部への入球は可能であるが前記検知用通過部の通過は不可とする大きさの不正具（不正球Ｂ２）を、通路方向に対して直交する方向において前記遊技球とは異なる位置を通らせる規制手段（通路壁面１９２，１９３）を備え、
さらに、前記規制手段による規制が行われる領域において前記不正具及び前記遊技球のうち一方を検知する検知手段（不正球検知センサ１９４）と、
当該検知手段の検知結果に基づいて異常処理を実行する異常処理実行手段（主側ＭＰＵ９２における不正球用処理を実行する機能）と、
を備えていることを特徴とする遊技機。
【０３０２】
特徴Ａ１４によれば、正規の遊技球の移動に対する影響を抑えながら、不正具を遊技機内に流入させる行為が行われた場合に、遊技ホールの管理者がそれに対処することが可能となる。
【０３０３】
＜特徴Ｂ群＞
特徴Ｂ１．遊技球が流下する遊技領域に設けられ、当該遊技領域を流下する遊技球が入球可能な入球部（一般入賞口３１）と、
通路形成体（ベース通路部材３１１）により区画形成され、前記入球部に入球した遊技球を所定の方向に案内する案内通路（正規球用通路領域３１２）と、
当該案内通路に設定されているとともに１個の遊技球の通過は可能であるが通路方向に直交する方向に複数の遊技球が並んだ状態での通過は不可とする検知用通過部（入賞側貫通孔１３６）を有し、当該検知用通過部の遊技球の通過を検知する通過検知手段（入賞検知センサ８６）と、
当該通過検知手段にて遊技球の通過が検知されたことに基づいて、所定の特典を付与する特典付与手段（主側ＭＰＵ９２、払出側ＭＰＵ１０２及び払出装置７７）と、
を備え、
前記検知用通過部よりも上流側に、上流側から流入してきた遊技球の前記検知用通過部への流下を許容する一方、前記遊技球よりも大きい不正具であって、前記入球部への入球は可能であるが前記検知用通過部の通過は不可とする大きさの不正具（不正球Ｂ２）を前記通路形成体の外側に向けて誘導する誘導手段（排出用部材３２１）を備えていることを特徴とする遊技機。
【０３０４】
特徴Ｂ１によれば、遊技球よりも大きい不正具を検知用通過部の位置に停留させることに基づき特典の付与を不正に継続させようとしても、不正具の検知用通過部に向けた流入が規制される。これにより、上記不正行為を抑制することが可能となる。
【０３０５】
また、不正具が遊技機内に流入されたとしても、当該不正具は遊技球の移動経路上から排除される。これにより、不正行為者が不正具を遊技機内に流入させる行為を行った後であっても、正規の遊技者に遊技を行わせることが可能となる。
【０３０６】
特徴Ｂ２．前記通路形成体における前記案内通路を区画形成する部位の外側に、前記誘導手段により誘導された前記不正具を停留させる停留部（停留部３２８）を備えていることを特徴とする特徴Ｂ１に記載の遊技機。
【０３０７】
特徴Ｂ２によれば、停留部に不正具が停留されているか否かを確認することで、不正具を利用した不正行為の有無を把握することが可能となる。
【０３０８】
特徴Ｂ３．前記停留部は、遊技機前面部よりも奥側に設けられているとともに、遊技機構成体（内枠１３、裏パックユニット１５及び主制御装置７１）の初期位置からの変位操作に伴って露出させることが可能な位置に設けられており、さらに当該停留部を露出させた場合には当該停留部に停留している前記不正具を取り出すことが可能なように所定方向に開放させて設けられていることを特徴とする特徴Ｂ２に記載の遊技機。
【０３０９】
特徴Ｂ３によれば、遊技機構成体の初期位置からの変位操作を行えば停留部を露出させることが可能となるため、遊技ホールの管理者にとっては、停留部に不正具が停留しているか否かの目視確認を簡単に行うことが可能となる。また、停留部は所定方向に開放させて設けられており、停留部を露出させた場合には当該停留部に停留している不正具を取り外すことが可能であるため、上記目視確認に際して停留部に不正具が停留していることを確認した場合には、当該不正具の取り外しを簡単に行うことが可能となる。
【０３１０】
その一方、停留部を露出させるためには遊技機構成体の初期位置からの変位操作が必要であるため、不正行為者にとっては、停留部から不正具を取り出す行為が行いづらくなっている。
【０３１１】
特徴Ｂ４．前記誘導手段は、前記案内通路の流れ方向に貫通するとともに前記遊技球の通過は可能とするが前記不正具の通過は不可とする大きさに形成された開口を有するように一対の誘導部（アーム部３２４，３２５）を備えており、
当該一対の誘導部は、それら一対の誘導部の間の距離が前記誘導手段による誘導先側に向けて除々に広くなるように形成されていることを特徴とする特徴Ｂ１乃至Ｂ３のいずれか１に記載の遊技機。
【０３１２】
特徴Ｂ４によれば、誘導手段を可動式に設ける必要がないため、当該誘導手段の構成の簡素化が図られる。
【０３１３】
＜特徴Ｃ群＞
特徴Ｃ１．遊技球が流下する遊技領域に設けられ、当該遊技領域を流下する遊技球が入球可能な入球部（一般入賞口３１）と、
当該入球部に入球した遊技球を所定の方向に案内する案内通路（集合通路領域３３１）と、
当該案内通路に設定されているとともに１個の遊技球の通過は可能であるが通路方向に直交する方向に複数の遊技球が並んだ状態での通過は不可とする検知用通過部（集合通路領域３３１において検知範囲ＤＡに含まれる領域）を有し、当該検知用通過部の遊技球の通過を検知する通過検知手段（入賞検知センサ３３２）と、
当該通過検知手段にて遊技球の通過が検知されたことに基づいて、所定の特典を付与する特典付与手段（主側ＭＰＵ９２、払出側ＭＰＵ１０２及び払出装置７７）と、
を備え、
前記通過検知手段は外郭を形成するハウジング（センサハウジング３３３）を備え、
当該ハウジングにおいて前記検知用通過部よりも上流側であって当該検知用通過部に到達するためには通過する必要がある箇所に、それよりも上流側に比べて通路幅を狭くする部位（入賞側貫通孔３３４における上流側の開口部の周縁）を備え、
前記検知用通過部は、検知用の出力源（検知コイル３３５）の作用により通路方向の所定範囲に亘って生じており、
前記検知用の出力源は、前記通路幅を狭くする部位が前記所定範囲に含まれないように、当該部位に対する位置が設定されていることを特徴とする遊技機。
【０３１４】
特徴Ｃ１によれば、遊技球よりも大きい不正具を検知用通過部の位置に停留させることに基づき特典の付与を不正に継続させようとしても、不正具の検知用通過部に向けた流入が規制される。これにより、上記不正行為を抑制することが可能となる。また、通過検知手段のハウジングにおいて積極的に不正具を受け止めるようにしながら、さらにその不正具を遊技球として誤検知してしまわないようにすることが可能となる。
【０３１５】
特徴Ｃ２．前記ハウジングは、複数のハウジング部材（ハウジング部材３３３ａ，３３３ｂ）を組み合わせることにより形成されており、
前記複数のハウジング部材のうち前記通路幅を狭くする部位を形成しているもの（ハウジング部材３３３ａ）は、他のハウジング部材（ハウジング部材３３３ｂ）よりも柔軟に形成されていることを特徴とする特徴Ｃ１に記載の遊技機。
【０３１６】
特徴Ｃ２によれば、ハウジングにおいて不正具を積極的に受け止めるようにした構成において、不正具を受け止める際の衝撃を緩和することが可能となる。
【０３１７】
＜特徴Ｄ群＞
特徴Ｄ１．遊技媒体を所定の方向に案内する案内通路（第９の実施の形態では集合通路領域３４１、第１０の実施の形態では集合通路領域３５１）と、
当該案内通路を通過する遊技媒体を検知する検知手段（第９の実施の形態では入賞検知センサ３４２、第１０の実施の形態では入賞検知センサ３５２）と、
を備えた遊技機において、
前記検知手段は、
前記案内通路の途中位置に第１検知範囲（第９の実施の形態では第１検知範囲ＤＡ１、第１０の実施の形態では第１検知範囲ＤＡ３）を生じさせる第１検知手段（第９の実施の形態では第１検知部３４５、第１０の実施の形態では第１検知部３５５）と、
前記案内通路において前記第１検知範囲よりも下流側に第２検知範囲（第９の実施の形態では第２検知範囲ＤＡ２、第１０の実施の形態では第２検知範囲ＤＡ４）を生じさせる第２検知手段（第９の実施の形態では第２検知部３４６、第１０の実施の形態では第２検知部３５６）と、
を備え、
前記第１検知手段において前記第１検知範囲を生じさせる第１出力源（第９の実施の形態では第１検知コイル３４５ａ、第１０の実施の形態では第１検知コイル３５５ａ）は、当該第１検知範囲が当該第１出力源よりも上流側に存在するように又は当該第１出力源よりも下流側に比べて上流側の方が通路方向の検知範囲が広くなるように前記第１検知範囲を生じさせるものであることを特徴とする遊技機。
【０３１８】
特徴Ｄ１によれば、第１検知手段と第２検知手段とを備えていることにより、案内通路内の遊技媒体の通過状況を適切に把握することが可能となる。この場合に、第１検知範囲は第１出力源に対して上流側に偏らせて設定されている。これにより、第１検知手段と第２検知手段とを通路方向に近づけて配置することが可能となり、検知手段の設置領域をコンパクトなものとすることが可能となる。
【０３１９】
特徴Ｄ２．遊技媒体を所定の方向に案内する案内通路（第９の実施の形態では集合通路領域３４１、第１０の実施の形態では集合通路領域３５１）と、
当該案内通路を通過する遊技媒体を検知する検知手段（第９の実施の形態では入賞検知センサ３４２、第１０の実施の形態では入賞検知センサ３５２）と、
を備えた遊技機において、
前記検知手段は、
前記案内通路の途中位置に第１検知範囲（第９の実施の形態では第１検知範囲ＤＡ１、第１０の実施の形態では第１検知範囲ＤＡ３）を生じさせる第１検知手段（第９の実施の形態では第１検知部３４５、第１０の実施の形態では第１検知部３５５）と、
前記案内通路において前記第１検知範囲よりも下流側に第２検知範囲（第９の実施の形態では第２検知範囲ＤＡ２、第１０の実施の形態では第２検知範囲ＤＡ４）を生じさせる第２検知手段（第９の実施の形態では第２検知部３４６、第１０の実施の形態では第２検知部３５６）と、
を備え、
前記第１検知手段において前記第１検知範囲を生じさせる第１出力源（第９の実施の形態では第１検知コイル３４５ａ、第１０の実施の形態では第１検知コイル３５５ａ）は、当該第１検知範囲が当該第１出力源よりも上流側に存在するように又は当該第１出力源よりも下流側に比べて上流側の方が通路方向の検知範囲が広くなるように前記第１検知範囲を生じさせるものであり、
前記第２検知手段において前記第２検知範囲を生じさせる第２出力源（第９の実施の形態では第２検知コイル３４６ａ、第１０の実施の形態では第２検知コイル３５６ａ）は、当該第２検知範囲が当該第２出力源よりも下流側に存在するように又は当該第２出力源よりも上流側に比べて下流側の方が通路方向の検知範囲が広くなるように前記第２検知範囲を生じさせるものであることを特徴とする遊技機。
【０３２０】
特徴Ｄ２によれば、第１検知手段と第２検知手段とを備えていることにより、案内通路内の遊技媒体の通過状況を適切に把握することが可能となる。この場合に、第１検知範囲は第１出力源に対して上流側に偏らせて設定されているとともに、第２検知範囲は第２出力源に対して下流側に偏らせて設定されている。これにより、第１出力源と第２出力源とを通路方向に近づけて配置することが可能となり、検知手段の設置領域をコンパクトなものとすることが可能となる。
【０３２１】
特徴Ｄ３．前記第１出力源は第１検知コイルであるとともに、前記第２出力源は第２検知コイルであり、
前記第１検知手段及び前記第２検知手段は、それぞれ対応する前記検知コイルから生じる磁束を利用して前記検知範囲を生じさせるものであり、
さらに、前記第１検知コイルから生じる磁束を当該第１検知コイルよりも上流側に集中させる第１集中手段（第９の実施の形態では第１コア３４５ｂ、第１０の実施の形態では第１コア３５５ｂ）と、前記第２検知コイルから生じる磁束を当該第２検知コイルよりも下流側に集中させる第２集中手段（第９の実施の形態では第２コア３４６ｂ、第１０の実施の形態では第２コア３５６ｂ）と、を備えていることを特徴とする特徴Ｄ２に記載の遊技機。
【０３２２】
特徴Ｄ３によれば、第１検知範囲と第２検知範囲とで所望の範囲を設定しながら、上記特徴Ｄ２にて示した構成を実現する上で、構成の簡素化を図ることが可能となる。
【０３２３】
特徴Ｄ４．前記第１検知手段と前記第２検知手段とは同一のハウジング（第９の実施の形態ではセンサハウジング３４３、第１０の実施の形態ではセンサハウジング３５３）に設けられていることを特徴とする特徴Ｄ１乃至Ｄ３のいずれか１に記載の遊技機。
【０３２４】
特徴Ｄ４によれば、第１検知手段及び第２検知手段は同一のハウジングに設けられているため、それぞれが個別に設けられている構成に比べ、部材点数の削減が図られるとともに、設置作業の作業性を向上させることが可能となる。また、このように同一のハウジングに第１検知手段と第２検知手段とが設けられた構成であっても、上記特徴Ｄ１又はＤ２にて示した構成を備えていることにより、第１出力源と第２出力源とを近付けることが可能となり、ハウジングの小型化が図られる。
【０３２５】
特徴Ｄ５．前記第１検知手段と前記第２検知手段とは、同一の検知方式により遊技媒体を検知するものであることを特徴とする特徴Ｄ１乃至Ｄ４のいずれか１に記載の遊技機。
【０３２６】
第１検知手段と第２検知手段とが同一の検知方式であることにより、両者において共通の部品を利用することが可能となる。この場合に、上記特徴Ｄ１又はＤ２にて示した構成を備えていることにより、第１検知手段と第２検知手段との間での干渉を抑制しながら、検知手段の設置領域をコンパクトなものとすることが可能となる。
【０３２７】
特徴Ｄ６．前記第１検知手段と前記第２検知手段とは同一のハウジング（第９の実施の形態ではセンサハウジング３４３、第１０の実施の形態ではセンサハウジング３５３）に設けられており、
当該ハウジングは、前記案内通路の通路壁の一部を構成するように、当該案内通路を区画形成する通路形成体に対して取り付けられており、
前記第１検知範囲には、前記ハウジングにおいて前記通路壁を構成している部位の最上流部が含まれていることを特徴とする特徴Ｄ１乃至Ｄ５のいずれか１に記載の遊技機。
【０３２８】
第１検知範囲が、ハウジングにおいて案内通路の通路壁の一部を構成している部位の最上流部を含んでいることにより、遊技媒体よりも大きい不正具を上流側から挿入してハウジングに引掛けて遊技媒体の通過を誤検知させ続けようとする行為が行われた場合には、当該不正具が停留していることを検知することが可能となる。よって、それに対して対処することが可能となる。
【０３２９】
その一方、上記のようにハウジングにおいて案内通路の通路壁の一部を構成している部位の最上流部が検知範囲に含まれている場合、正規の遊技媒体が通過する場合においてチャタリングの発生が懸念されるが、検知範囲が下流側に向けて設定された第２検知手段が設けられていることにより、当該チャタリングの発生を抑制することが可能となる。
【０３３０】
特徴Ｄ７．前記第１検知手段と前記第２検知手段とは同一のハウジング（第９の実施の形態ではセンサハウジング３４３、第１０の実施の形態ではセンサハウジング３５３）に設けられており、
前記第１検知手段よりも上流側には、前記遊技媒体よりも大きい不正具であって、前記案内通路への流入は可能であるが前記案内通路において前記検知範囲が生じている領域を通過しきることを不可とする大きさの不正具（不正球Ｂ２）の下流側への流入を規制する規制手段（第９の実施の形態ではセンサハウジング３４３における上流側の開口部の周縁、第１０の実施の形態では段差部３５７ａ）を備え、
前記第１検知範囲には、前記規制手段により前記不正具の下流側への流入が規制される箇所が含まれていることを特徴とする特徴Ｄ１乃至Ｄ６のいずれか１に記載の遊技機。
【０３３１】
特徴Ｄ７によれば、規制手段が設けられていることにより、遊技媒体よりも大きい不正具を案内通路の上流側から流入させて遊技媒体の通過を誤検知させ続ける行為を抑制することが可能となる。この場合に、第１検知範囲が、規制手段により不正具の下流側への流入が規制される箇所を含んでいることにより、不正具が規制手段によりそれ以上の流入が規制されて停留していることを検知することが可能となる。よって、それに対して対処することが可能となる。
【０３３２】
また、上記のように規制手段が設けられた構成においては、正規の遊技媒体が通過する場合においてチャタリングの発生が懸念されるが、検知範囲が下流側に向けて設定された第２検知手段が設けられていることにより、当該チャタリングの発生を抑制することが可能となる。
【０３３３】
特徴Ｄ８．前記第２検知手段にて遊技媒体が検知されたことを少なくとも一の条件として、前記案内通路を遊技媒体が通過したと判定する制御手段（主側ＭＰＵ９２）を備えていることを特徴とする特徴Ｄ６又はＤ７に記載の遊技機。
【０３３４】
特徴Ｄ８によれば、正規の遊技媒体が通過したと判定されるためには、検知範囲が下流側に向けて設定された第２検知手段にて遊技媒体が検知される必要があるため、既に説明したようにチャタリングの発生を抑制することが可能となる。
【０３３５】
特徴Ｄ９．前記第１検知範囲及び前記第２検知範囲のうち一方は他方よりも通路方向の検知範囲が狭く設定されていることを特徴とする特徴Ｄ１乃至Ｄ８のいずれか１に記載の遊技機。
【０３３６】
特徴Ｄ９によれば、第１検知範囲及び第２検知範囲を含めたトータルの検知範囲が必要以上に広くなってしまうことを抑制することが可能となる。
【０３３７】
特徴Ｄ１０．前記第２検知範囲は、前記第１検知範囲よりも通路方向の検知範囲が狭く設定されていることを特徴とする特徴Ｄ９に記載の遊技機。
【０３３８】
特徴Ｄ１０によれば、遊技媒体よりも大きい不正具を上流側から挿入して所定箇所にて底流させることで遊技媒体の通過を誤検知させ続けようとする行為が行われた場合に、当該不正具が停留していることを検知可能としながら、トータルの検知範囲が必要以上に広くなってしまうことを抑制することが可能となる。
【０３３９】
特徴Ｄ１１．遊技球が流下する遊技領域に設けられ、当該遊技領域を流下する遊技球が入球可能な入球部（一般入賞口３１）を備え、
前記案内通路は、前記入球部に入球した遊技球を前記所定の方向に案内するものであり、
前記検知手段にて遊技球の通過が検知されたことに基づいて、所定の特典を付与する特典付与手段（主側ＭＰＵ９２、払出側ＭＰＵ１０２及び払出装置７７）を備えていることを特徴とする特徴Ｄ１乃至Ｄ１０のいずれか１に記載の遊技機。
【０３４０】
入球部への入球を検知する検知手段に対しては、その上流側又は下流側から不正具を挿入して遊技球を誤検知させる行為が想定される。これに対して、第１検知範囲は上流側に向けて設定されているとともに、第２検知範囲は下流側に向けて設定されているため、不正具が挿入されていることを検知することが可能となる。
【０３４１】
特徴Ｄ１２．前記第１検知手段は前記第１検知範囲に遊技媒体が存在している場合に検知状態となるとともに、前記第２検知手段は前記第２検知範囲に遊技媒体が存在している場合に検知状態となるものであり、
前記第１検知手段が検知状態となった後に、前記第２検知手段が検知状態となった場合に、前記案内通路を遊技媒体が通過したと判定する制御手段（主側ＭＰＵ９２）を備えていることを特徴とする特徴Ｄ１乃至Ｄ１１のいずれか１に記載の遊技機。
【０３４２】
特徴Ｄ１２によれば、第１検知手段及び第２検知手段を有することにより、遊技媒体の検知を正確に行えるようにした構成において、既に説明したような優れた効果を奏することが可能となる。
【０３４３】
上記特徴Ｄ群の発明は、以下の課題に対して効果的である。
【０３４４】
遊技機の一種であるパチンコ機は、遊技球が流下する遊技領域に、当該遊技領域を流下する遊技球が入球可能な入球部を備えている。そして、当該入球部への遊技球の入球に基づいて遊技者に特典が付与される（例えば特開２００３−２３６０８０号公報を参照）。
【０３４５】
具体的には、入球部から続くとともに当該入球部に入球した遊技球を遊技ホールの島設備に導くための案内通路を備えており、当該案内通路の途中位置に検知用通過部が存在するようにして検知手段が設けられている。この検知用通過部は、遊技球が１個ずつ通過するようにその通路断面の大きさが設定されている。検知手段は、例えば検知用通過部を遊技球が通過したことによる磁界の変化を電気信号に変換して、制御装置側に向けて出力する。制御装置ではその入力結果に基づいて特典を付与するための処理を実行する。
【０３４６】
ここで、不正に特典を得ることを目的として上記検知手段に対して不正を施すことが考えられる。これに対して、本件発明者は、検知手段を複数設けることにより、当該不正行為に適切に対処することが可能であることを考え出した。
【０３４７】
しかしながら、複数の検知手段を単純に設けようとすると、それだけ検知手段の設置領域が大型化することとなり好ましくない。
【０３４８】
なお、上記問題は、検知手段として、磁気検知式のものが用いられている場合に限られることはなく、光学式のものや接触式のものが用いられている場合であっても生じ得る問題である。また、上記問題は、入球部に入球した遊技球ではなく、払い出される遊技球や、遊技者により投入される遊技球を検知するための検知手段であっても生じ得る問題である。また、上記問題は、パチンコ機に限定されることはなく、遊技媒体を検知するための検知手段を有する他の遊技機においても生じ得る問題である。
【０３４９】
以下に、以上の各特徴を適用し得る遊技機の基本構成を示す。
【０３５０】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０３５１】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【符号の説明】
【０３５２】
１０…パチンコ機、３１…入球部としての一般入賞口、５１…遊技球発射機構、５２…発射レール、５３…球送り装置、５４…ソレノイド、６１ａ…上皿、７７…特典付与手段を構成する払出装置、８３…案内通路としての集合回収通路、８６…通過検知手段としての入賞検知センサ、８８…元側通路領域としての集合通路領域、９２…特典付与手段及び異常処理実行手段を構成する主側ＭＰＵ、１０２…特典付与手段を構成する払出側ＭＰＵ、１３１…規制手段としての幅狭領域、１３２…上流領域、１３３…下流領域、１３６…検知用通過部としての入賞側貫通孔、１４３…規制用通過部としての段差部、１４５…停留検知センサ、１６１…元側通路領域としての集合通路領域、１６２…上流通路領域、１６３…不正球用の分岐領域、１６４…正規球用の分岐領域、１６５…規制用通過部としての分岐開始領域、１６６…規制手段としての誘導部材、１６８…付勢部材、１７１…元側通路領域としての集合通路領域、１７２…上流通路領域、１７３…正規球用の分岐領域、１７４…不正球用の分岐領域、１７６…規制手段としての誘導部材、１７６ａ…傾斜面としての上面、１７８，１７９…規制用通過部を形成するアーム部、１８１…元側通路領域としての予備整列部、１８２…停留検知センサ、１９１…元側通路領域としての予備整列部、１９２，１９３…規制手段としての通路壁面、１９４…不正球検知センサ、２０１…元側通路領域としての球送り通路、２０２…規制手段を構成する供給部材、２０３…規制手段を構成する球送り駆動部、Ｂ１…遊技球、Ｂ２…不正球。
【図１】
2020054878.tif 000003
【図２】
2020054878.tif 000004
【図３】
2020054878.tif 000005
【図４】
2020054878.tif 000006
【図５】
2020054878.tif 000007
【図６】
2020054878.tif 000008
【図７】
2020054878.tif 000009
【図８】
2020054878.tif 000010
【図９】
2020054878.tif 000011
【図１０】
2020054878.tif 000012
【図１１】
2020054878.tif 000013
【図１２】
2020054878.tif 000014
【図１３】
2020054878.tif 000015
【図１４】
2020054878.tif 000016
【図１５】
2020054878.tif 000017
【図１６】
2020054878.tif 000018
【図１７】
2020054878.tif 000019
【図１８】
2020054878.tif 000020
【図１９】
2020054878.tif 000021
【図２０】
2020054878.tif 000022